(57)【特許請求の範囲】
【請求項１】
ワイヤレス通信の方法であって、
共有スペクトラム上でのアップリンク送信のための割り振られたインターレースの数をユーザ機器（ＵＥ）において受信することと、ここにおいて、各割り振られたインターレースは、前記コンテンションベース共有スペクトラムの同じ数の非連続的リソースブロックを有する１つのリソースブロックグループを備え、割り振られたインターレースの前記数は、前記リソースブロックグループの数を示し、および前記ＵＥのジョイントインターレースプリコーディングハードウェアによってサポートされない、
前記割り振られたインターレースを、少なくとも２つのインターレースのサブセットに区分することと、インターレースの各サブセットのサイズは、前記ＵＥの前記ジョイントインターレースプリコーディングハードウェアによってサポートされ、インターレースの各サブセットは、非連続的リソースブロックのサブセットを備え、
前記ＵＥにおいて、非連続的リソースブロックの前記サブセットを備えるインターレースの各サブセットで別々にジョイントインターレースプリコーディングを実行することと、
前記割り振られたインターレースの全リソースブロックの長さに等しい長さの基準信号シーケンスを使用して、前記割り振られたインターレースのリソースブロックに対する基準信号を生成することと、ここで、前記リソースブロックへの前記基準信号シーケンスのマッピングは、周波数領域のキャリアにおける、前記コンテンションベース共有スペクトラム内での、前記割り振られたインターレースのための前記リソースブロックの順序付けに基づく、
を備える、方法。
【請求項２】
前記基準信号を生成することは、
前記基準信号シーケンスからの基準信号シンボルを、周波数に従って前記共有スペクトラム内の前記割り当てられたインターレースの前記リソースブロックへマッピングすること、を備える、請求項１に記載の方法。
【請求項３】
インターレースの前記サブセットを前記共有スペクトラム上で基地局に送信することをさらに備える、請求項１に記載の方法。
【請求項４】
割り振られたリソースの前記数は７を備える、請求項１に記載の方法。
【請求項５】
インターレースの前記少なくとも２つのサブセットは、１つのインターレースの第１のサブセットと６つのインターレースの第２のサブセットとを備える、請求項１に記載の方法。
【請求項６】
ユーザ機器（ＵＥ）におけるワイヤレス通信のための装置であって、
前記ＵＥにおいて、共有スペクトラム上でのアップリンク送信のための割り振られたインターレースの数を受信するための手段と、ここにおいて、各割り振られたインターレースは、前記コンテンションベース共有スペクトラムの同じ数の非連続的リソースブロックを有する１つのリソースブロックグループを備え、割り振られたインターレースの前記数は、前記リソースブロックグループの数を示し、および前記ＵＥのジョイントインターレースプリコーディングハードウェアによってサポートされない、
前記割り振られたインターレースを、少なくとも２つのインターレースのサブセットに区分するための手段と、ここにおいて、インターレースの各サブセットのサイズは、前記ＵＥの前記ジョイントインターレースプリコーディングハードウェアによってサポートされ、インターレースの各サブセットは、非連続的リソースブロックのサブセットを備え、
前記ＵＥにおいて、非連続的リソースブロックの前記サブセットを備えるインターレースの各サブセットで別々にジョイントインターレースプリコーディングを実行するための手段と、
前記割り振られたインターレースの全リソースブロックの長さに等しい長さの基準信号シーケンスを使用して、前記割り振られたインターレースのリソースブロックに対する基準信号を生成するための手段と、ここで、前記リソースブロックへの前記基準信号シーケンスのマッピングは、周波数領域のキャリアにおける、前記コンテンションベース共有スペクトラム内での、前記割り振られたインターレースのための前記リソースブロックの順序付けに基づく、
を備える、装置。
【請求項７】
前記基準信号を生成するための手段は、
前記基準信号シーケンスからの基準信号シンボルを、周波数に従って前記共有スペクトラム内の前記割り当てられたインターレースの前記リソースブロックへマッピングするための手段、を備える、請求項６に記載の方法。
【請求項８】
インターレースの前記サブセットを前記共有スペクトラム上で基地局に送信するための手段をさらに備える、請求項６に記載の装置。
【請求項９】
単一の基準信号は、前記割り当てられたインターレースの複数の前記リソースブロックに対し生成され、前記複数のリソースブロックにマッピングされる、請求項１に記載の方法。
【請求項１０】
前記マッピングすることは、前記高い順序付けのリソースブロックをマッピングする前に、前記低い順序付けのリソースブロックをマッピングすることを備える、請求項２に記載の方法。
【発明の詳細な説明】
【優先権の主張】
【０００１】
相互参照
本特許出願は、各々が本出願の譲受人に譲渡された、２０１４年１１月４日に出願された、「Ｐｏｗｅｒ  Ｍｅｔｒｉｃ  Ｏｐｔｉｍｉｚａｔｉｏｎ  Ａｎｄ  Ｕｐｌｉｎｋ  ＤＭ−ＲＳ  Ｄｅｓｉｇｎ  Ｆｏｒ  ＬＴＥ（登録商標）／ＬＴＥ−Ａ  Ｕｐｌｉｎｋ  Ｔｒａｎｓｍｉｓｓｉｏｎｓ  Ｉｎ  Ｕｎｌｉｃｅｎｓｅｄ  Ｓｐｅｃｔｒｕｍ」と題する、Ｙｅｒｒａｍａｌｌｉらによる米国特許出願第１４／５３２，２６６号、および２０１３年１２月３日に出願された、「Ｐｏｗｅｒ  Ｍｅｔｒｉｃ  Ｏｐｔｉｍｉｚａｔｉｏｎ  Ａｎｄ  Ｕｐｌｉｎｋ  ＤＭ−ＲＳ  Ｄｅｓｉｇｎ  Ｆｏｒ  ＬＴＥ／ＬＴＥ−Ａ  Ｕｐｌｉｎｋ  Ｔｒａｎｓｍｉｓｓｉｏｎｓ  Ｉｎ  Ｕｎｌｉｃｅｎｓｅｄ  Ｓｐｅｃｔｒｕｍ」と題する、Ｙｅｒｒａｍａｌｌｉらによる米国仮特許出願第６１／９１１，３４２号の優先権を主張する。
【技術分野】
【０００２】
以下は、一般に、ワイヤレス通信に関し、より詳細には、電力メトリック最適化およびアップリンク復調基準信号（ＤＭ−ＲＳ：demodulation reference signal）設計に関する。
【背景技術】
【０００３】
[0003]ワイヤレス通信システムは、音声、ビデオ、パケットデータ、メッセージング、ブロードキャストなど、様々なタイプの通信コンテンツを提供するために広く展開されている。これらのシステムは、利用可能なシステムリソース（たとえば、時間、周波数、および電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムがある。
【０００４】
[0004]概して、ワイヤレス多元接続通信システムは、各々が複数のモバイルデバイスのための通信を同時にサポートする、いくつかの基地局を含み得る。基地局は、ダウンストリームリンクおよびアップストリーム通信リンク上でモバイルデバイスと通信し得る。
【０００５】
[0005]１つまたは複数の通信リンクを介してデータまたは制御信号（すなわち送信（transmission））を送信するために使用されるプロトコルまたは技法は、送信に関連する１つまたは複数の電力メトリック（たとえば、ピーク対平均電力比（ＰＡＰＲ）またはキュービックメトリック（ＣＭ）に影響を与える場合がある。電力節約および信頼できる送信などのために、これらの電力メトリックを最適化するプロトコルまたは技法を使用してデータまたは制御信号を送信することが望ましい場合がある。
【発明の概要】
【０００６】
[0006]説明される特徴は、一般に、ワイヤレス通信のための方法および装置に関する。いくつかの場合には、方法および装置は、無認可スペクトラム内のＬＴＥ／ＬＴＥ−Ａアップリンク送信など、アップリンク送信に関連する１つまたは複数の電力メトリック（たとえば、ＰＡＰＲまたはＣＭ）を最適化するために使用され得る。いくつかの方法および装置は、データ信号に適用可能な１つまたは複数の電力メトリックを最適化することに、より適している一方で、他の方法および装置は、制御信号（たとえば、基準信号）に適用可能な１つまたは複数の電力メトリックを最適化することに、より適している場合がある。
【０００７】
[0007]いくつかの例では、ワイヤレス通信のための方法は、共有スペクトラム上でアップリンク送信に対するいくつかの割り振られたインターレースをユーザ機器（ＵＥ）において受信することと、ここにおいて、各割り振られたインターレースは、共有スペクトラムの複数の非連続的リソースブロックを含み、共有スペクトラム内の割り振られたインターレースに対するリソースブロックの順序付け（ordering）に基づく基準信号シーケンスに従って、割り振られたインターレースのリソースブロックに対する基準信号を生成することとを含む。
【０００８】
[0008]いくつかの例では、ワイヤレス通信のための装置は、共有スペクトラム上でアップリンク送信に対するいくつかの割り振られたインターレースをＵＥにおいて受信するための手段と、ここにおいて、各割り振られたインターレースは、共有スペクトラムの複数の非連続的リソースブロックを含み、共有スペクトラム内の割り振られたインターレースに対するリソースブロックの順序付けに基づく基準信号シーケンスに従って、割り振られたインターレースのリソースブロックに対する基準信号を生成するための手段とを含む。
【０００９】
[0009]いくつかの例では、プロセッサによって実行可能な命令を記憶するための非一時的コンピュータ可読媒体は、共有スペクトラム上でアップリンク送信に対するいくつかの割り振られたインターレースをユーザ機器（ＵＥ）において受信するための命令と、ここにおいて、各割り振られたインターレースは、共有スペクトラムの複数の非連続的リソースブロックを含み、共有スペクトラム内の割り振られたインターレースに対するリソースブロックの順序付けに基づく基準信号シーケンスに従って、割り振られたインターレースのリソースブロックに対する基準信号を生成するための命令とを含む。
【００１０】
[0010]いくつかの例では、ワイヤレス通信のための方法は、共有スペクトラム上でアップリンク送信に対するいくつかの割り振られたインターレースをユーザ機器（ＵＥ）において受信すること、ここにおいて、各割り振られたインターレースは共有スペクトラムの複数の非連続的リソースブロックを含み、割り振られたインターレースの数はＵＥのジョイントインターレースプリコーディングハードウェアによってサポートされない、と、割り振られたインターレースを少なくとも２つのインターレースのサブセットに区分すること、ここにおいてインターレースの各サブセットのサイズはＵＥのジョイントインターレースプリコーディングハードウェアによってサポートされる、と、ＵＥにおけるインターレースの各サブセットにおいて別々にジョイントインターレースプリコーディングを実行することとを含む。
【００１１】
[0011]上記で説明された方法、デバイス、装置、または非一時的コンピュータ可読媒体の様々な例は、共有スペクトラム上でアップリンク送信を送信する特徴、手段、モジュール、またはプロセッサ実行可能命令を含み得、アップリンク送信は、割り振られたインターレースのうちの少なくとも１つを含む。基準信号を生成することは、周波数に従って基準信号シーケンスからの基準信号シンボルを、共有スペクトラム内の割り振られたインターレースのリソースブロックにマッピングすることを含み得、別個の基準信号が、リソースブロックにマッピングされた基準信号シンボルに基づいて、割り振られたインターレースのリソースブロックの各々に対して生成される。いくつかの場合には、共有スペクトラムは、少なくとも１つの割り振られないインターレースと関連付けられた複数のリソースブロックを含み、基準信号を生成することは、周波数に従って基準信号シーケンスからの基準信号シンボルを、割り振られたインターレースおよび少なくとも１つの割り振られないインターレースのリソースブロックにマッピングすることと、割り振られたインターレースのリソースブロックにマッピングされた基準信号シンボルのサブセットを決定するために基準信号シーケンスをパンクチャする（puncture）こととを含み得、割り振られたインターレースのリソースブロックの各々に対して別々の基準信号が、そのリソースブロックにマッピングされた基準信号シンボルに基づいて生成される。
【００１２】
[0012]いくつかの場合には、基準信号を生成することは、いくつかのコンピュータ生成シーケンスを生成することと、コンピュータ生成シーケンスのうちの１つを、共有スペクトラム内の割り振られたインターレースのリソースブロックのうちの１つにマッピングすることとを含む。コンピュータ生成シーケンスの長さは、リソースブロックに対するいくつかの周波数サブキャリアに少なくとも部分的に基づく場合がある。コンピュータ生成シーケンスの数は、割り振られたインターレースの数に少なくとも部分的に基づく場合がある。いくつかの場合には、コンピュータ生成シーケンスのうちの１つをリソースブロックのうちの１つにマッピングすることは、外部（outer）シーケンスを生成することと、いくつかの組み合わされたシーケンスを決定することと、ここにおいて、組み合わされた（combined）シーケンスは、コンピュータ生成シーケンスおよび外部シーケンスのうちの少なくとも１つに少なくとも部分的に基づき、組み合わされたシーケンスのうちの１つを共有スペクトラム内の割り振られたインターレースのリソースブロックのうちの１つにマッピングすることと、を含み得る。
【００１３】
[0013]方法、デバイス、または非一時的コンピュータ可読媒体の様々な例は、ランダムサイクリックシフトに少なくとも部分的に基づいてコンピュータ生成シーケンスのうちの少なくとも１つをシフトすることの特徴、シフトするための手段、シフトするためのモジュール、またはシフトするためのプロセッサ実行可能命令を含む場合がある。
【００１４】
[0014]方法、デバイス、または非一時的コンピュータ可読媒体の様々な例は、ＵＥに対して選択されるサイズの組合せに関連する電力メトリックに基づいて、インターレースの各サブセットのサイズを選択することの特徴、選択するための手段、選択するためのモジュールまたは選択するためのプロセッサ実行可能命令を含む場合がある。いくつかの場合には、割り当てられたリソースの数は７つを含む。
【００１５】
[0015]方法、デバイス、または非一時的コンピュータ可読媒体の様々な例は、インターレースのサブセットを共有スペクトラムを介して基地局に送信することの特徴、送信するための手段、送信するためのモジュールまたは送信するためのプロセッサ実行可能命令を含む場合がある。いくつかの場合には、インターレースの少なくとも２つのサブセットが、１つのインターレースの第１のセットと６つのインターレースの第２のセットとを含む。
【００１６】
[0016]上記では、以下の発明を実施するための形態がより良く理解され得るように、本開示による例の特徴および技術的利点についてやや広く概説した。さらなる特徴および利点について、以下で説明する。開示される概念および具体例は、本開示の同じ目的を遂行するための他の構造を変更または設計するための基礎として容易に利用され得る。そのような等価な構成は、添付の特許請求の範囲の趣旨および範囲から逸脱しない。関連する利点とともに、本明細書で開示される概念の編成と動作の方法の両方に関して、それらの概念を特徴づけると考えられる特徴は、添付の図に関連して以下の説明を検討するとより良く理解されよう。各図は、例示および説明のみのために与えられものであり、特許請求の範囲の限定の定義として与えられるものではない。
【００１７】
[0017]本発明の性質と利点とについてのさらなる理解は、以下の図面を参照することによって達成され得る。添付の図において、同様の構成要素または特徴は同じ参照ラベルを有することができる。さらに、同じタイプの様々な構成要素は、参照ラベルの後に、ダッシュと、それらの同様の構成要素同士を区別する第２のラベルとを続けることによって区別され得る。本明細書で第１の参照ラベルだけが使用される場合、説明は、第２の参照ラベルにかかわらず、同一の第１の参照ラベルを有する同様の構成要素のいずれにも適用可能である。
【図面の簡単な説明】
【００１８】
【図１】本開示の様々な態様による、ワイヤレス通信システムのブロック図。
【図２Ａ】本開示の様々な態様による、無認可スペクトラムにおいてＬＴＥ／ＬＴＥ−Ａを使用するための展開シナリオの例を示す図。
【図２Ｂ】本開示の様々な態様による、無認可スペクトラムにおけるＬＴＥ／ＬＴＥ−Ａのためのスタンドアロンモードの一例を示すワイヤレス通信システムを示す図。
【図３】本開示の様々な態様による、ワイヤレス通信において使用するための装置のブロック図。
【図４】本開示の様々な態様による、ワイヤレス通信において使用するための送信機モジュールのブロック図。
【図５】本開示の様々な態様による、ワイヤレス通信において使用するための送信機モジュールのブロック図。
【図６】本開示の様々な態様による、ワイヤレス通信において使用するための装置のブロック図。
【図７】本開示の様々な態様による、ワイヤレス通信において使用するための装置のブロック図。
【図８】本開示の様々な態様による、ワイヤレス通信の方法の一例を示すフローチャート。
【図９】本開示の様々な態様による、ワイヤレス通信の方法の一例を示すフローチャート。
【図１０】本開示の様々な態様による、ワイヤレス通信の方法の一例を示すフローチャート。
【図１１】本開示の様々な態様による、ワイヤレス通信の方法の一例を示すフローチャート。
【図１２】本開示の様々な態様による、ＬＴＥ／ＬＴＥ−Ａ通信用に構成されたジョイントインターレースプリコーディングハードウェアを使用してジョイントインターレースプリコーディングを実行するために、割り振られたインターレースがどのように区分され得るかの一例を示す図。
【図１３】本開示の様々な態様による、ワイヤレス通信において使用するための装置のブロック図。
【図１４】本開示の様々な態様による、ワイヤレス通信の方法の一例を示すフローチャート。
【図１５】本開示の様々な態様による、共有スペクトラムを介するアップリンク送信に対するいくつかの割り振られたインターレースの各リソースブロックに対して、基準信号（たとえば、復調基準信号（ＤＭ−ＲＳ））がどのように生成され得るかの一例を示す図。
【図１６】本開示の様々な態様による、共有スペクトラムを介するアップリンク送信に対するいくつかの割り振られたインターレースの各リソースブロック（ＲＢ）に対して、基準信号（たとえば、ＤＭ−ＲＳ）がどのように生成され得るかの別の例を示す図。
【図１７】本開示の様々な態様による、ワイヤレス通信において使用するための装置のブロック図。
【図１８】本開示の様々な態様による、ワイヤレス通信の方法の一例を示すフローチャート。
【図１９】本開示の様々な態様による、共有スペクトラムを介する複数のＤＭ−ＲＳ送信に、サブフレーム内の複数のリソース要素位置がどのようにマッピングされ得るかの一例を示す図。
【図２０】本開示の様々な態様による、ワイヤレス通信において使用するための装置を示すブロック図。
【図２１】本開示の様々な態様による、ワイヤレス通信の方法の一例を示すフローチャート。
【発明を実施するための形態】
【００１９】
[0040]無認可スペクトラム（たとえば、ＬＴＥ／ＬＴＥ−Ａまたは他の送信プロトコルのもとで動作する装置と共有されるスペクトラム）内で、３ＧＰＰ（登録商標）「ロングタームエボリューション」（ＬＴＥ）または「ＬＴＥアドバンスト」（ＬＴＥ−Ａ）アップリンク送信を作成するとき、無認可スペクトラムの利用可能な帯域幅の少なくとも８０パーセント（８０％）をアップリンク送信が占めるような方式でＬＴＥ／ＬＴＥ−Ａアップリンク送信を作成することが望ましい場合がある。８０％帯域幅占有要件を達成するための１つの方法は、１つまたは複数のインターレースにわたってＬＴＥ／ＬＴＥ−Ａアップリンク送信を作成することである。インターレースは、本明細書では、複数の非連続的リソースブロックとして定義される。複数の非連続的リソースブロックは、リソースブロックが、無認可スペクトラムの利用可能な帯域幅の少なくとも８０％に及ぶような方式で選択され得る。
【００２０】
[0041]１つまたは複数のインターレースにわたってアップリンク送信を作成するときに遭遇することがある問題は、乏しい電力性能（たとえば、高ＰＡＰＲまたは高ＣＭ）である。したがって、本明細書で開示する技法は、無認可スペクトラム内でＬＴＥ／ＬＴＥ−Ａアップリンク送信を作成するときに、ＰＡＰＲおよびＣＭなどの電力メトリックを低減または最適化する方法を提供する。本技法は、特に、ＳＣ−ＦＤＭＡベースの送信に適用可能であり得る。本技法はまた、認可スペクトラム内のＬＴＥ／ＬＴＥ−Ａアップリンク送信に適用され得るが、そのようなアプリケーションは、既存のＬＴＥ／ＬＴＥ−Ａ規格との後方互換性がない場合がある。
【００２１】
[0042]本明細書で説明する技法は、ＬＴＥ／ＬＴＥ−Ａに限定されず、ＣＤＭＡ、ＴＤＭＡ、ＦＤＭＡ、ＯＦＤＭＡ、ＳＣ−ＦＤＭＡ、および他のシステムなどの様々なワイヤレス通信システムにも使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００と、ＩＳ−９５と、ＩＳ−８５６規格をカバーする。ＩＳ−２０００リリース０およびＡは、通常、ＣＤＭＡ２０００  １Ｘ、１Ｘなどと呼ばれる。ＩＳ−８５６（ＴＩＡ−８５６）は、通常、ＣＤＭＡ２０００  １ｘＥＶ−ＤＯ、高速パケットデータ（ＨＲＰＤ）などと呼ばれる。ＵＴＲＡは、Ｗｉｄｅｂａｎｄ  ＣＤＭＡ（ＷＣＤＭＡ（登録商標））とＣＤＭＡの他の変形形態とを含む。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎ（ＧＳＭ（登録商標））などの無線技術を実装することができる。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。ＬＴＥおよびＬＴＥ−Ａｄｖａｎｃｅｄ（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）と称する団体の文書に記載されている。ＣＤＭＡ２０００およびＵＭＢは、「第３世代パートナーシッププロジェクト２」（３ＧＰＰ２）と称する団体の文書に記載されている。本明細書で説明する技法は、上記のシステムおよび無線技術、ならびに他のシステムおよび無線技術に使用され得る。しかしながら、以下の説明は、例としてＬＴＥシステムを説明し、以下の説明の大部分においてＬＴＥ用語が使用されるが、本技法はＬＴＥ適用例以外に適用可能である。
【００２２】
[0043]以下の説明は例を提供するものであり、特許請求の範囲に記載した範囲、適用可能性、または構成を限定するものではない。本開示の趣旨および範囲から逸脱することなく、説明される要素の機能および配置に関して変更が行われ得る。様々な例は、適宜に様々な手順または構成要素を省略、置換、または追加し得る。たとえば、説明される方法は、説明されるのとは異なる順序で実施され得、様々なステップが追加、省略、または組み合わされ得る。また、いくつかの例に関して説明される特徴は、他の例において組み合わされ得る。
【００２３】
[0044]図１は、本開示の様々な態様による、ワイヤレス通信システム１００のブロック図を示す。ワイヤレス通信システム１００は、複数の基地局１０５（たとえば、ｅＮＢ、ＷＬＡＮアクセスポイント、または他のアクセスポイント）と、いくつかのユーザ機器（ＵＥ）１１５と、コアネットワーク１３０とを含む。基地局１０５のいくつかは、様々な例ではコアネットワーク１３０の一部または基地局１０５のうちのいくつかであり得る、基地局コントローラ（図示されず）の制御下でＵＥ１１５と通信し得る。基地局１０５のうちのいくつかは、バックホール１３２を通してコアネットワーク１３０と制御情報またはユーザデータを通信し得る。いくつかの例では、基地局１０５のうちのいくつかは、ワイヤードまたはワイヤレス通信リンクであり得るバックホールリンク１３４を介して互いと直接または間接的に通信し得る。ワイヤレス通信システム１００は、複数のキャリア（異なる周波数の波形信号）上での動作をサポートし得る。マルチキャリア送信機は、変調された信号を複数のキャリア上で同時に送信することができる。たとえば、各通信リンク１２５は、様々な無線技術に従って変調されたマルチキャリア信号であり得る。各被変調信号は、異なるキャリア上で送られ得、制御情報（たとえば、基準信号、制御チャネルなど）、オーバーヘッド情報、データなどを搬送し得る。
【００２４】
[0045]基地局１０５は、１つまたは複数のアクセスポイントアンテナを介して、ＵＥ１１５とワイヤレス通信し得る。基地局１０５の各々は、それぞれのカバレージエリア１１０に通信カバレージを与え得る。いくつかの例では、基地局１０５は、アクセスポイント、基地トランシーバ局（ＢＴＳ：base transceiver station）、無線基地局、無線トランシーバ、基本サービスセット（ＢＳＳ：basic service set）、拡張サービスセット（ＥＳＳ：extended service set）、ノードＢ、発展型ノードＢ（ｅＮＢ：evolved NodeB）、ホームノードＢ、ホームｅノードＢ、ＷＬＡＮアクセスポイント、ＷｉＦｉ（登録商標）ノードまたは何らかの他の好適な用語で呼ばれることがある。アクセスポイントのためのカバレッジエリア１１０は、カバレッジエリアの一部分のみを構成するセクタ（図示されず）に分割され得る。ワイヤレス通信システム１００は、異なるタイプの基地局１０５（たとえば、マクロ基地局、マイクロ基地局、またはピコ基地局）を含み得る。基地局１０５はまた、セルラーまたはＷＬＡＮ無線アクセス技術などの異なる無線技術を利用し得る。基地局１０５は同じまたは異なるアクセスネットワークまたは事業者展開に関連付けられ得る。同じもしくは異なるタイプの基地局１０５のカバレージエリアを含み、同じもしくは異なる無線技術を利用し、または同じもしくは異なるアクセスネットワークに属する、異なる基地局１０５のカバレージエリアは重複し得る。
【００２５】
[0046]いくつかの例では、ワイヤレス通信システム１００は、ＬＴＥ／ＬＴＥ−Ａ通信システム（またはネットワーク）を含む場合があり、そのＬＴＥ／ＬＴＥ−Ａ通信システムは、無認可スペクトラム内の１つまたは複数の動作モードまたは展開モードをサポートすることができる。他の例では、ワイヤレス通信システム１００は、ＬＴＥ／ＬＴＥ−Ａとは異なるアクセス技術を使用してワイヤレス通信をサポートし得る。ＬＴＥ／ＬＴＥ−Ａ通信システムでは、発展型ノードＢまたはｅＮＢという用語は、一般に、基地局１０５を説明するために使用され得る。
【００２６】
[0047]ワイヤレス通信システム１００は、異なるタイプの基地局１０５が様々な地理的領域にカバレージを与える、異種ＬＴＥ／ＬＴＥ−Ａネットワークであり得る。たとえば、各基地局１０５は、マクロセル、ピコセル、フェムトセル、または他のタイプのセルに通信カバレージを与え得る。ピコセル、フェムトセル、または他のタイプのセルなどのスモールセルは低電力ノードまたはＬＰＮを含み得る。マクロセルは一般に、比較的大きい地理的エリア（たとえば、半径数キロメートル）をカバーし、サービスに加入しているＵＥによるネットワークプロバイダとの無制限アクセスを可能にし得る。ピコセルは一般に、比較的小さい地理的エリアをカバーし、ネットワークプロバイダのサービスに加入しているＵＥによる無制限アクセスを可能にし得る。また、フェムトセルは、概して、比較的小さい地理的エリア（たとえば、自宅）をカバーすることになり、無制限アクセスに加えて、フェムトセルとの関連を有するＵＥ（たとえば、限定加入者グループ（ＣＳＧ：closed subscriber group）中のＵＥ、自宅内のユーザのためのＵＥなど）による限定アクセスをも与え得る。マクロセルのためのｅＮＢはマクロｅＮＢと呼ばれることがある。ピコセルのためのｅＮＢは、ピコｅＮＢと呼ばれることがある。また、フェムトセルのためのｅＮＢはフェムトｅＮＢまたはホームｅＮＢと呼ばれることがある。ｅＮＢは、１つまたは複数の（たとえば、２つ、３つ、４つなどの）セルをサポートし得る。
【００２７】
[0048]コアネットワーク１３０は、バックホール１３２（たとえば、Ｓ１アプリケーションプロトコルなど）を介して基地局１０５と通信することができる。基地局１０５はまた、たとえば、バックホールリンク１３４（たとえば、Ｘ２アプリケーションプロトコルなど）を介して、またはバックホール１３２を介して（たとえば、コアネットワーク１３０を通じて）、直接または間接的に互いに通信することができる。ワイヤレス通信システム１００は、同期動作または非同期動作をサポートし得る。同期動作の場合、ｅＮＢは同様のフレームタイミングまたはゲーティングタイミングを有してよく、異なるｅＮＢからの送信は概ね時間的に揃えられてよい。非同期動作の場合、ｅＮＢは異なるフレームタイミングまたはゲーティングタイミングを有してよく、異なるｅＮＢからの送信は時間的に揃えられないことがある。本明細書で説明される技法は、同期動作または非同期動作のいずれにも使用され得る。
【００２８】
[0049]ＵＥ１１５は、ワイヤレス通信システム１００全体にわたって分散される場合があり、各ＵＥ１１５は固定またはモバイルであり得る。ＵＥ１１５は、当業者によって、モバイルデバイス、モバイル局、加入者局、モバイルユニット、加入者ユニット、ワイヤレスユニット、リモートユニット、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、時計または眼鏡などのウェアラブルアイテム、ワイヤレスローカルループ（ＷＬＬ）局などであり得る。ＵＥ１１５は、マクロｅＮＢ、ピコｅＮＢ、フェムトｅＮＢ、リレーなどと通信することが可能であり得る。ＵＥ１１５はまた、セルラーもしくは他のＷＷＡＮアクセスネットワーク、またはＷＬＡＮアクセスネットワークなど、異なるアクセスネットワーク上で通信することが可能であり得る。
【００２９】
[0050]ワイヤレス通信システム１００に示された通信リンク１２５は、（たとえば、ＵＥ１１５から基地局１０５への）アップリンク（ＵＬ）送信を搬送するためのアップリンクまたは（たとえば、基地局１０５からＵＥ１１５への）ダウンリンク（ＤＬ）送信を搬送するためのダウンリンクを含み得る。ＵＬ送信は逆方向リンク送信と呼ばれることもあり、ＤＬ送信は順方向リンク送信と呼ばれることもある。ダウンリンク送信は、認可スペクトラム、無認可スペクトラム、またはその両方を使用して行われ得る。同様に、アップリンク送信は、認可スペクトラム、無認可スペクトラム、またはその両方を使用して行われ得る。
【００３０】
[0051]ワイヤレス通信システム１００のいくつかの例では、無認可スペクトラムにおけるＬＴＥ／ＬＴＥ−Ａのための様々な展開シナリオが、認可スペクトラムにおけるＬＴＥ／ＬＴＥ−Ａダウンリンク容量が無認可スペクトラムにオフロードされ得る補足ダウンリンクモードと、ＬＴＥ／ＬＴＥ−Ａのダウンリンク容量とアップリンク容量の両方が認可スペクトラムから無認可スペクトラムにオフロードされ得るキャリアアグリゲーションモードと、基地局（たとえば、ｅＮＢ）とＵＥとの間のＬＴＥ／ＬＴＥ−Ａダウンリンクおよびアップリンク通信が無認可スペクトラムにおいて行われ得るスタンドアロンモードとを含めてサポートされ得る。基地局１０５ならびにＵＥ１１５は、これらまたは同様の動作モードのうちの１つまたは複数をサポートし得る。ＯＦＤＭＡ通信信号は、無認可スペクトラムまたは認可スペクトラムにおけるＬＴＥ／ＬＴＥ−Ａダウンリンク送信のために通信リンク１２５の中で使用され得るが、ＳＣ−ＦＤＭＡ通信信号は、無認可スペクトラムまたは認可スペクトラムにおけるＬＴＥ／ＬＴＥ−Ａアップリンク送信のために通信リンク１２５の中で使用され得る。
【００３１】
[0052]ＵＥ１１５が無認可スペクトラムまたは共有スペクトラムを介してアップリンク通信を送信するように構成されるとき、ＵＥは、アップリンク送信のために無認可スペクトラムまたは共有スペクトラムのうちの１つまたは複数のインターレースを（たとえば、基地局１０５によって）割り振られ得る。インターレースの各々は、無認可スペクトラムまたは共有スペクトラムの複数の非連続的リソースブロックを含み得る。ＵＥ１１５は、基準信号シーケンスに従って、割り振られたインターレースのリソースブロックに対する基準信号（たとえば、復調基準信号（ＤＭＲＳ））を生成し得る。基準信号シーケンスは、無認可スペクトラムまたは共有スペクトラム内の割り振られたインターレースに対するリソースブロックの順序付けに基づき得る。リソースブロックごとに基準信号シーケンスを選択することによって、基準信号は、基地局１０５による、リソースブロックごとの狭帯域チャネル推定を改善し得、それによって電力およびＰＡＰＲの総合的低減をもたらす。
【００３２】
[0053]図２Ａは、本開示の様々な態様による、無認可スペクトラムにおいてＬＴＥを使用するための展開シナリオの例を示す図を示す。一例では、図２Ａは、無認可スペクトラム内の展開をサポートするＬＴＥ／ＬＴＥ−Ａネットワークのための補助ダウンリンクモードおよびキャリアアグリゲーションモードの例を示す、ワイヤレス通信システム２００を示す。ワイヤレス通信システム２００は、図１のワイヤレス通信システム１００の部分の一例であり得る。その上、基地局２０５は図１の基地局１０５の例であってよく、ＵＥ２１５、２１５−ａ、および２１５−ｂは図１のＵＥ１１５の例であってよい。
【００３３】
[0054]ワイヤレス通信システム２００における補助ダウンリンクモードの例では、基地局２０５は、ダウンリンク２２０を使用してＵＥ２１５にＯＦＤＭＡ通信信号を送信することができる。ダウンリンク２２０は、無認可スペクトラム中の周波数Ｆ１と関連付けられ得る。基地局２０５は、双方向リンク２２５を使用してＯＦＤＭＡ通信信号を同じＵＥ２１５に送信することができ、双方向リンク２２５を使用してＳＣ−ＦＤＭＡ通信信号をそのＵＥ２１５から受信することができる。双方向リンク２２５は、認可スペクトラムにおける周波数Ｆ４と関連付けられ得る。無認可スペクトラム中のダウンリンク２２０および認可スペクトラム中の双方向リンク２２５は、同時に動作することができる。ダウンリンク２２０は、ダウンリンク容量のオフロードを基地局２０５に提供することができる。いくつかの例では、ダウンリンク２２０は、（たとえば、１つのＵＥに宛てられる）ユニキャストサービスのために、または（たとえば、いくつかのＵＥに宛てられる）マルチキャストサービスのために使用され得る。このシナリオは、認可スペクトラムを使用し、トラフィックまたはシグナリング輻輳の一部を軽減する必要がある、任意のサービスプロバイダ（たとえば、従来のモバイルネットワーク事業者（ＭＮＯ））に対して発生し得る。
【００３４】
[0055]ワイヤレス通信システム２００におけるキャリアアグリゲーションモードの一例では、基地局２０５は、双方向リンク２３０を使用してＵＥ２１５−ａにＯＦＤＭＡ通信信号を送信することができ、双方向リンク２３０を使用して同じＵＥ２１５−ａからＳＣ−ＦＤＭＡ通信信号を受信することができる。双方向リンク２３０は、無認可スペクトラムにおける周波数Ｆ１と関連付けられ得る。基地局２０５はまた、双方向リンク２３５を使用してＯＦＤＭＡ通信信号を同じＵＥ２１５−ａに送信することができ、双方向リンク２３５を使用してＳＣ−ＦＤＭＡ通信信号を同じＵＥ２１５−ａから受信することができる。双方向リンク２３５は、認可スペクトラムにおける周波数Ｆ２と関連付けられ得る。双方向リンク２３０は、ダウンリンク容量およびアップリンク容量のオフロードを基地局２０５に提供することができる。上で説明された補助ダウンリンクのように、このシナリオは、認可スペクトラムを使用し、トラフィックまたはシグナリング輻輳の一部を軽減する必要がある、任意のサービスプロバイダ（たとえば、ＭＮＯ）に対して発生し得る。
【００３５】
[0056]ワイヤレス通信システム２００におけるキャリアアグリゲーションモードの別の例では、基地局２０５は、双方向リンク２４０を使用してＵＥ２１５−ｂにＯＦＤＭＡ通信信号を送信し得、双方向リンク２４０を使用して同じＵＥ２１５−ｂからＳＣ−ＦＤＭＡ通信信号を受信し得る。双方向リンク２４０は、無認可スペクトラムにおける周波数Ｆ３に関連付けられ得る。基地局２０５はまた、双方向リンク２４５を使用して同じＵＥ２１５−ｂにＯＦＤＭＡ通信信号を送信し得、双方向リンク２４５を使用して同じＵＥ２１５−ｂからＳＣ−ＦＤＭＡ通信信号を受信し得る。双方向リンク２４５は、認可スペクトラムにおける周波数Ｆ２に関連付けられ得る。双方向リンク２４０は、ダウンリンク容量およびアップリンク容量のオフロードを基地局２０５に提供し得る。この例および上記で提供した例は、説明のために提示され、容量のオフロードのために認可スペクトラムおよび無認可スペクトラムの中のＬＴＥ／ＬＴＥ−Ａを組み合わせる他の同様の動作モードまたは展開シナリオが存在し得る。
【００３６】
[0057]上記で説明したように、無認可スペクトラム内のＬＴＥ／ＬＴＥ−Ａを使用することによって提供される容量オフロードから恩恵を受け得る一般的なサービスプロバイダは、ＬＴＥ／ＬＴＥ−Ａスペクトラムを用いる旧来のＭＮＯである。これらのサービスプロバイダにとって、運用上の構成は、認可スペクトラム上のＬＴＥ／ＬＴＥ−Ａ一次コンポーネントキャリア（ＰＣＣ）と無認可スペクトラム上の二次コンポーネントキャリア（ＳＣＣ）とを使用するブートストラップモード（たとえば、補助ダウンリンク、キャリアアグリゲーション）を含み得る。
【００３７】
[0058]キャリアアグリゲーションモードでは、一般に、認可スペクトラム（たとえば、双方向リンク２２５、２３５、および２４５）においてデータおよび制御が通信され得、一般に、無認可スペクトラム（たとえば、双方向リンク２３０および２４０）においてデータが通信され得る。無認可スペクトラムを使用するときにサポートされるキャリアアグリゲーション機構は、ハイブリッド周波数分割複信−時分割複信（ＦＤＤ−ＴＤＤ）キャリアアグリゲーション、またはコンポーネントキャリアにわたって異なる対称性を伴うＴＤＤ−ＴＤＤキャリアアグリゲーションの範疇に入り得る。
【００３８】
[0059]図２Ｂは、本開示の様々な態様による、無認可スペクトラムにおけるＬＴＥ／ＬＴＥ−Ａのためのスタンドアロンモードの一例を示すワイヤレス通信システム２５０を示す。ワイヤレス通信システム２５０は、図１のワイヤレス通信システム１００、または図２Ａのワイヤレス通信システム２００の部分の一例であり得る。その上、基地局２０５は、図１または図２Ａを参照して説明される基地局１０５または２０５の一例であり得るが、ＵＥ２１５−ｃは、図１または図２ＡのＵＥ１１５または２１５の一例であり得る。
【００３９】
[0060]ワイヤレス通信システム２５０におけるスタンドアロンモードの例では、基地局２０５は、双方向リンク２５５を使用してＵＥ２１５−ｃにＯＦＤＭＡ通信信号を送信することができ、双方向リンク２５５を使用してＵＥ２１５−ｃからＳＣ−ＦＤＭＡ通信信号を受信することができる。双方向リンク２５５は、図２Ａを参照して上で説明された無認可スペクトラムにおける周波数Ｆ３と関連付けられ得る。スタンドアロンモードは、スタジアム内アクセス（たとえば、ユニキャスト、マルチキャスト）などの非従来型のワイヤレスアクセスシナリオにおいて使用され得る。この動作モードの典型的なサービスプロバイダは、認可スペクトラムを有しないスタジアム所有者、ケーブル会社、イベント主催者、ホテル、企業または大規模会社であり得る。
【００４０】
[0061]いくつかの例では、図１、図２Ａもしくは図２Ｂを参照して説明される基地局１０５、２０５（たとえば、ｅＮＢ）、または、図１、図２Ａもしくは図２Ｂを参照して説明されるＵＥ１１５もしくは２１５のような送信デバイスは、共有スペクトラムのチャネルへの（たとえば、認可スペクトラムまたは無認可スペクトラムの物理チャネルへの）アクセス権を得るためにゲーティング間隔を使用することができる。ゲーティング間隔は、ＥＴＳＩ（ＥＮ３０１  ８９３）において指定されているリスンビフォートーク（ＬＢＴ：Listen Before Talk）プロトコルに基づくＬＢＴプロトコルのような、コンテンションベースプロトコルの適用を定義し得る。ＬＢＴプロトコルの適用を定義するゲーティング間隔を使用するとき、ゲーティング間隔は、送信デバイスがクリアチャネルアセスメント（ＣＣＡ）を実行する必要があるときを示し得る。ＣＣＡの結果は、共有された無認可スペクトラムのチャネルが利用可能であるか、または使用中であるかを送信デバイスに示し得る。チャネルが利用可能である（たとえば、使用のために「クリア」である）ことをＣＣＡが示すとき、ゲーティング間隔は、通常はあらかじめ定められた送信間隔の間、送信デバイスがチャネルを使用することを許可し得る。チャネルが利用可能ではない（たとえば、使用中または予約済みである）ことをＣＣＡが示すとき、ゲーティング間隔は、送信デバイスが送信間隔の間にチャネルを使用するのを防ぎ得る。
【００４１】
[0062]いくつかの場合、送信デバイスが、周期的にゲーティング間隔を生成し、周期的なフレーム構造の少なくとも１つの境界とゲーティング間隔の少なくとも１つの境界を同期させることが有用であり得る。たとえば、共有帯域においてセルラーダウンリンクのための周期的なゲーティング間隔を生成し、セルラーダウンリンクと関連付けられる周期的なフレーム構造（たとえば、ＬＴＥ／ＬＴＥ−Ａ無線フレーム）の少なくとも１つの境界と周期的なゲーティング間隔の少なくとも１つの境界を同期させることが有用であり得る。
【００４２】
[0063]図３は、本開示の様々な態様による、ワイヤレス通信において使用するための装置３１５のブロック図３００を示す。いくつかの例では、装置３１５は、図１、図２Ａまたは図２Ｂを参照して説明されるＵＥ１１５または２１５のうちの１つの１つまたは複数の態様の一例であり得る。装置３１５はまた、プロセッサであってよい。装置３１５は、受信機モジュール３１０、ワイヤレス通信管理モジュール３２０、または送信機モジュール３３０を含み得る。これらの構成要素の各々は互いと通信していることがある。
【００４３】
[0064]デバイス３１５の構成要素は、ハードウェアにおいて適用可能な機能の一部またはすべてを実行するように適応された１つまたは複数の特定用途向け集積回路（ＡＳＩＣ）を使用して、個々にまたは集合的に実装され得る。代替的には、それらの機能は、１つまたは複数の他の処理ユニット（またはコア）によって、１つまたは複数の集積回路上で実行され得る。他の例では、当技術分野で知られている任意の方法でプログラムされ得る、他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。
【００４４】
[0065]いくつかの例では、受信機モジュール３１０は、第１のスペクトラム（たとえば、ＬＴＥ／ＬＴＥ−Ａ認可スペクトラム）または第２のスペクトラム（たとえば、同じまたは異なる送信プロトコルのもとで動作する１つまたは複数の装置と共有されてよく、ＷｉＦｉスペクトラムを含んでよい、ＬＴＥ／ＬＴＥ−Ａ無認可スペクトラム）内の送信を受信するように動作可能なＲＦ受信機などの無線周波数（ＲＦ）受信機であってよく、またはそれを含んでよい。受信機モジュール３１０は、図１、図２Ａまたは図２Ｂを参照して説明されるワイヤレス通信システム１００、２００、または２５０の１つまたは複数の通信リンクなど、第１および第２のスペクトラムを含むワイヤレス通信システムの１つまたは複数の通信リンクを介して、様々なタイプのデータまたは制御信号（すなわち、送信）を受信するために使用され得る。
【００４５】
[0066]いくつかの例では、送信機モジュール３３０は、第１のスペクトラムまたは第２のスペクトラム内で送信するように動作可能なＲＦ送信機などのＲＦ送信機であってよく、またはそれを含んでよい。送信機モジュール３３０は、第１のスペクトラムと第２のスペクトラムとを含むワイヤレス通信システムの１つまたは複数の通信リンクを介して、様々なタイプのデータまたは制御信号（すなわち、送信）を送信するために使用され得る。
【００４６】
[0067]いくつかの例では、ワイヤレス通信管理モジュール３２０は、受信機モジュール３１０を介するワイヤレス通信の受信または送信機モジュール３３０を介するワイヤレス通信の送信を管理し得る。例として、送信側において、ワイヤレス通信管理モジュール３２０は、ピーク対平均電力比（ＰＡＰＲ）、キュービックメトリック（ＣＭ）、または送信機モジュール３３０からの送信に関する他の電力メトリックを管理するために送信を管理し得る。いくつかの場合には、ワイヤレス通信管理モジュール３２０は、ビットまたは変調シンボルのストリームに適用するために並べ替え（permutation）を選択し得、その並べ替えは、ストリームと関連付けられた１つまたは複数の電力メトリックを最適化する。他の場合には、ワイヤレス通信管理モジュール３２０は、ビットまたは変調シンボルのストリームと関連付けられた１つまたは複数の基準シンボルを送信するために使用されるインターレースまたは選択パラメータのプリコーディングを管理し得る。
【００４７】
[0068]図４は、本開示の様々な態様による、ワイヤレス通信において使用するための送信機モジュール４３０のブロック図４００を示す。いくつかの例では、送信機モジュール４３０は、図１、図２Ａまたは図２Ｂを参照して説明されるＵＥ１１５または２１５のうちの１つまたは複数内に含まれる送信機モジュールの一例であり得る。送信機モジュール４３０はまた、図３を参照して説明される送信機モジュール３３０の１つまたは複数の態様の一例であり得る。送信機モジュール４３０は、複数の（たとえば、２つ以上の）別々の送信チェーンブランチ４３５、４４０、または４４５を含み得る。
【００４８】
[0069]送信機モジュール４３０の構成要素は、個別にまたは集合的に、ハードウェア中の適用可能な機能の一部またはすべてを実行するように適合された１つまたは複数のＡＳＩＣを使用して実装され得る。代替的には、それらの機能は、１つまたは複数の他の処理ユニット（またはコア）によって、１つまたは複数の集積回路上で実行され得る。他の例では、当技術分野で知られている任意の方法でプログラムされ得る、他のタイプの集積回路（たとえば、ストラクチャード／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。
【００４９】
[0070]いくつかの例では、別々の送信チェーンブランチ４３５、４４０、または４４５は、それぞれ、ビットまたは変調シンボルのストリーム４５０を受信し、別々の送信チェーンブランチ５３５、５４０、５４５のうちの選択された１つによって生成されたビットまたは変調シンボルのストリームを出力する送信チェーンブランチ選択器４５５に結合された終端を有することができる。いくつかの場合には、送信チェーンブランチ選択器４５５は、送信チェーンブランチ４３５、４４０、４４５のそれぞれの推定された電力メトリックに基づいて送信チェーンブランチ４３５、４４０、４４５のうちの１つを選択し得る。たとえば、送信チェーンブランチ選択器４５５は、しきい値を満足する（すなわち、しきい値より小さい）ＰＡＰＲまたはＣＭを有する送信チェーンブランチ４３５、４４０、４４５のうちの１つを選択し得るか、または送信チェーンブランチ選択器４５５は、最低のＰＡＰＲまたはＣＭに関連する送信チェーンブランチ４３５、４４０、４４５のうちの１つを選択し得る。いくつかの場合には、送信チェーンブランチ選択器４５５は、図３を参照して説明されるワイヤレス通信管理モジュール３２０の制御のもとで行われ得る。
【００５０】
[0071]いくつかの例では、送信チェーンブランチ４３５、４４０、４４５のうちの１つは、スロット、サブフレーム、またはストリームのビットもしくは変調シンボルの他のブロックうちの少なくとも１つに対して選択され得る。これらの例では、送信チェーンブランチ４３５、４４０、４４５のそれぞれの推定された電力メトリックは、スロット、サブフレーム、またはビットもしくは変調シンボルの他のブロックの中のすべてのビットもしくは変調シンボルにわたるそれぞれの推定された電力メトリックを含み得る。
【００５１】
[0072]図５は、本開示の様々な態様による、ワイヤレス通信において使用するための送信機モジュール５３０のブロック図５００を示す。いくつかの例では、送信機モジュール５３０は、図１、図２Ａまたは図２Ｂを参照して説明されるＵＥ１１５または２１５のうちの１つまたは複数内に含まれる送信機モジュールの一例であり得る。送信機モジュール５３０はまた、図３または図４を参照して説明される送信機モジュール３３０または４３０のうちの１つまたは複数の態様の一例であり得る。送信機モジュール５３０は、複数の（たとえば、２つ以上の）別々の送信チェーンブランチ５３５、５４０、または５４５を含み得る。
【００５２】
[0073]送信機モジュール５３０の構成要素は、個別にまたは集合的に、ハードウェア中の適用可能な機能の一部またはすべてを実行するように適合された１つまたは複数のＡＳＩＣを使用して実装され得る。代替的には、それらの機能は、１つまたは複数の他の処理ユニット（またはコア）によって、１つまたは複数の集積回路上で実行され得る。他の例では、当技術分野で知られている任意の方法でプログラムされ得る、他のタイプの集積回路（たとえば、ストラクチャード／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。
【００５３】
[0074]いくつかの例では、別々の送信チェーンブランチ５３５、５４０、５４５は、それぞれ、ビットまたは変調シンボルのストリーム５５０を受信し、それぞれの並べ替えモジュール５６０、５６２、または５６４においていくつかの異なる方法のうちの１つでビットまたは変調シンボルのストリーム５５０を並べ替え、次いで、たとえば、それぞれの離散フーリエ変換（ＤＦＴ）プリコーディングモジュール５７０、５７２もしくは５７４、それぞれのサブキャリアマッピングモジュール５８０、５８２もしくは５８４、またはそれぞれのインバースＤＦＴ（ＩＤＦＴ）モジュール５９０、５９２もしくは５９４を含む、同様の処理モジュールのチェーンを介して並べ替えされたビットまたは変調シンボルのストリームを処理することができる。別々の送信チェーンブランチ５３５、５４０、５４５の各々の終端は、別々の送信チェーンブランチ５３５、５４０、５４５のうちの選択された１つによって生成されたビットまたは変調シンボルのストリームを出力する送信チェーンブランチ選択器５５５に結合され得る。いくつかの場合には、送信チェーンブランチ選択器５５５は、送信チェーンブランチ５３５、５４０、５４５のそれぞれの推定された電力メトリックに基づいて送信チェーンブランチ５３５、５４０、５４５のうちの１つを選択し得る。たとえば、送信チェーンブランチ選択器５５５は、しきい値を満足する（たとえば、しきい値より小さい）ＰＡＰＲまたはＣＭを有する送信チェーンブランチ５３５、５４０、５４５のうちの１つを選択し得るか、または送信チェーンブランチ選択器５５５は、最低のＰＡＰＲまたはＣＭに関連する送信チェーンブランチ５３５、５４０、５４５のうちの１つを選択し得る。いくつかの場合には、送信チェーンブランチ選択器５５５は、図３を参照して説明されるワイヤレス通信管理モジュール３２０の制御のもとで行われ得る。
【００５４】
[0075]いくつかの場合には、送信チェーンブランチ選択器５５５は、しきい値を満足する送信チェーンブランチ５３５、５４０、５４５のうちの１つの推定された電力メトリック（または送信チェーンブランチ５３５、５４０、５４５のうちの１つによって処理された並べ替えのうちの１つの推定された電力メトリック）に基づいて、送信チェーンブランチのうちの１つを選択し得る。たとえば、送信チェーンブランチ選択器５５５は、送信チェーンブランチ５３５、５４０、５４５の各々の推定された電力メトリックとしきい値とをシリアルまたはパラレルに比較し、しきい値を満足する推定された電力メトリックを識別すると、識別された推定された電力メトリックに対応する送信チェーンブランチ５３５、５４０、５４５を選択することができる。いくつかの場合には、他の推定された電力メトリックとしきい値との比較は、しきい値を満足するための第１の推定された電力メトリックを識別すると、スキップまたは終了される場合がある。
【００５５】
[0076]他の場合には、送信チェーンブランチ選択器５５５は、別々の送信チェーンブランチの終端において（たとえば、推定された電力メトリックのうちの最適のものを識別するために）送信チェーンブランチ５３５、５４０、５４５のそれぞれの推定された電力メトリックの比較（または、送信チェーンブランチ５３５、５４０、５４５によって処理された並べ替えのそれぞれの推定された電力メトリックの比較）に基づいて送信チェーンブランチのうちの１つを選択し得る。
【００５６】
[0077]他の場合には、送信チェーンブランチ選択器５５５は、別々の送信チェーンブランチにおける並べ替えの処理の間の中間点において（たとえば、推定された電力メトリックのうちの最適のものを識別するために）送信チェーンブランチ５３５、５４０、５４５のそれぞれの推定された電力メトリックの比較（または、送信チェーンブランチ５３５、５４０、５４５によって処理された並べ替えのそれぞれの推定された電力メトリックの比較）に基づいて送信チェーンブランチのうちの１つを選択し得る。例として、送信機モジュール５３０は、それぞれがブランチ除去モジュール５１０または５２０によって示される２つの中間点を含む。中間点のうちの１つにおいて送信チェーンブランチ５３５、５４０、５４５または並べ替えを選択すると、選択されなかった並べ替えの処理は中止され、一方で選択された並べ替えの処理は継続し得る。
【００５７】
[0078]図６は、本開示の様々な態様による、ワイヤレス通信において使用するための装置６１５のブロック図６００を示す。いくつかの例では、装置６１５は、図１、図２Ａもしくは図２Ｂを参照して説明されるＵＥ１１５もしくは２１５、または図３を参照して説明される装置３１５のうちの１つの１つまたは複数の態様の一例であり得る。装置６１５はまた、プロセッサであってよい。装置６１５は、受信機モジュール６１０、ワイヤレス通信管理モジュール６２０、または送信機モジュール６３０を含み得る。これらの構成要素の各々は互いと通信していることがある。
【００５８】
[0079]装置６１５の構成要素は、個別にまたは集合的に、ハードウェア中の適用可能な機能の一部またはすべてを実行するように適応された１つまたは複数のＡＳＩＣを使用して実装され得る。代替的には、それらの機能は、１つまたは複数の他の処理ユニット（またはコア）によって、１つまたは複数の集積回路上で実行され得る。他の例では、当技術分野で知られている任意の方法でプログラムされ得る、他のタイプの集積回路（たとえば、ストラクチャード／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。
【００５９】
[0080]いくつかの例では、受信機モジュール６１０は、第１のスペクトラム（たとえば、ＬＴＥ／ＬＴＥ−Ａ認可スペクトラム）または第２のスペクトラム（たとえば、同じまたは異なる送信プロトコルのもとで動作する１つまたは複数の装置と共有されてよく、ＷｉＦｉスペクトラムを含んでよい、ＬＴＥ／ＬＴＥ−Ａ無認可スペクトラム）内の送信を受信するように動作可能なＲＦ受信機などの無線周波数（ＲＦ）受信機であるか、またはそれを含み得る。ＲＦ受信機は、第１のスペクトラムおよび第２のスペクトラムのための別々の受信機を含み得る。いくつかの場合には、別々の受信機は、第１のスペクトラムを介して通信するための認可スペクトラム受信機モジュール６１２、および第２のスペクトラムを介して通信するための無認可スペクトラム受信機モジュール６１４の形態をとる場合がある。認可スペクトラム受信機モジュール６１２または無認可スペクトラム受信機モジュール６１４を含む受信機モジュール６１０は、図１、図２Ａまたは図２Ｂを参照して説明されるワイヤレス通信システム１００、２００、または２５０の１つまたは複数の通信リンクなど、第１および第２のスペクトラムを含むワイヤレス通信システムの１つまたは複数の通信リンクを介して様々なタイプのデータまたは制御信号（すなわち、送信）を受信するために使用され得る。
【００６０】
[0081]いくつかの例では、送信機モジュール６３０は、第１のスペクトラムまたは第２のスペクトラム内で送信するように動作可能なＲＦ送信機など、ＲＦ送信機であるか、またはそれを含み得る。ＲＦ送信機は、第１のスペクトラムおよび第２のスペクトラムのための別々の送信機を含み得る。いくつかの場合には、別々の送信機は、第１のスペクトラムを介して通信するための認可スペクトラム送信機モジュール６３２、および第２のスペクトラムを介して通信するための無認可スペクトラム送信機モジュール６３４の形態をとる場合がある。いくつかの場合には、無認可スペクトラム送信機モジュール６３４は、図４または図５を参照して説明される送信機モジュール４３０または５３０と同様に構成され得る。認可スペクトラム送信機モジュール６３２または無認可スペクトラム送信機モジュール６３４を含む送信機モジュール６３０は、第１のスペクトラムと第２のスペクトラムとを含むワイヤレス通信システムの１つまたは複数の通信リンクを介して、様々なタイプのデータまたは制御信号（すなわち、送信）を送信するために使用され得る。
【００６１】
[0082]いくつかの例では、ワイヤレス通信管理モジュール６２０は、図３を参照して説明されるワイヤレス通信管理モジュール３２０の１つまたは複数の態様の一例であってよく、並べ替え生成モジュール６３５、並べ替え関連モジュール６４０、または並べ替え選択モジュール６４５を含んでよい。これらの構成要素の各々は、互いに通信していることがある。
【００６２】
[0083]いくつかの例では、並べ替え生成モジュール６３５は、ビットまたは変調シンボルのストリームを受信し、ビットまたは変調シンボルのストリームの複数の異なる並べ替えを生成するために使用され得る。いくつかの場合には、ビットまたは変調シンボルのストリームは、認可スペクトラムまたは無認可スペクトラム内のＬＴＥ／ＬＴＥ−Ａアップリンクチャネル上のＳＣ−ＦＤＭＡベースの送信に対して使用され得る。
【００６３】
[0084]いくつかの例では、並べ替え関連モジュール６４０は、並べ替え生成モジュール６３５によって生成された並べ替えの各々と無認可スペクトラム送信機モジュール６３４の別々の送信チェーンブランチとを関連付けるために使用され得る。
【００６４】
[0085]いくつかの例では、並べ替え選択モジュール６４５は、無認可スペクトラム送信機モジュール６３４からの送信のための並べ替えのうちの１つを選択するために使用され得る。並べ替えのうちの１つは、並べ替えのそれぞれの推定された電力メトリック（たとえば、ＰＡＰＲまたはＣＭ）に基づいて選択され得る。
【００６５】
[0086]いくつかの場合には、並べ替え選択モジュール６４５は、スロット、サブフレーム、またはストリームのビットもしくは変調シンボルの他のブロックうちの少なくとも１つに対する並べ替えのうちの１つを選択し得る。これらの場合には、並べ替えのそれぞれの推定された電力メトリックは、スロット、サブフレーム、またはビットもしくは変調シンボルの他のブロックの中のすべてのビットもしくは変調シンボルにわたるそれぞれの推定された電力メトリックを含み得る。
【００６６】
[0087]図７は、本開示の様々な態様による、ワイヤレス通信において使用するための装置７１５のブロック図７００を示す。いくつかの例では、装置７１５は、図１、図２Ａもしくは図２Ｂを参照して説明されるＵＥ１１５もしくは２１５のうちの１つ、または図３もしくは図６を参照して説明される装置３１５もしくは６１５のうちの１つの、１つまたは複数の態様の一例であり得る。装置７１５はまた、プロセッサであってよい。装置７１５は、受信機モジュール７１０、ワイヤレス通信管理モジュール７２０、または送信機モジュール７３０を含み得る。これらの構成要素の各々は、互いに通信していることがある。
【００６７】
[0088]装置７１５の構成要素は、個別にまたは集合的に、ハードウェア中の適用可能な機能の一部またはすべてを実行するように適応された１つまたは複数のＡＳＩＣを使用して実装され得る。代替的には、それらの機能は、１つまたは複数の他の処理ユニット（またはコア）によって、１つまたは複数の集積回路上で実行され得る。他の例では、当技術分野で知られている任意の方法でプログラムされ得る、他のタイプの集積回路（たとえば、ストラクチャード／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。
【００６８】
[0089]いくつかの例では、受信機モジュール７１０は、第１のスペクトラム（たとえば、ＬＴＥ／ＬＴＥ−Ａ認可スペクトラム）または第２のスペクトラム（たとえば、同じまたは異なる送信プロトコルのもとで動作する１つまたは複数の装置と共有されてよく、ＷｉＦｉスペクトラムを含んでよい、ＬＴＥ／ＬＴＥ−Ａ無認可スペクトラム）内の送信を受信するように動作可能なＲＦ受信機などの無線周波数（ＲＦ）受信機であるか、またはそれを含み得る。ＲＦ受信機は、第１のスペクトラムおよび第２のスペクトラムのための別々の受信機を含み得る。いくつかの場合には、別々の受信機は、第１のスペクトラムを介して通信するための認可スペクトラム受信機モジュール７１２、および第２のスペクトラムを介して通信するための無認可スペクトラム受信機モジュール７１４の形態をとる場合がある。認可スペクトラム受信機モジュール７１２および無認可スペクトラム受信機モジュール７１４を含む受信機モジュール７１０は、図１、図２Ａまたは図２Ｂを参照して説明されるワイヤレス通信システム１００、２００、または２５０の１つまたは複数の通信リンクなど、第１および第２のスペクトラムを含むワイヤレス通信システムの１つまたは複数の通信リンクを介して様々なタイプのデータまたは制御信号（すなわち、送信）を受信するために使用され得る。
【００６９】
[0090]いくつかの例では、送信機モジュール７３０は、第１のスペクトラムまたは第２のスペクトラム内で送信するように動作可能なＲＦ送信機など、ＲＦ送信機であるか、またはそれを含み得る。ＲＦ送信機は、第１のスペクトラムおよび第２のスペクトラムのための別々の送信機を含み得る。いくつかの場合には、別々の送信機は、第１のスペクトラムを介して通信するための認可スペクトラム送信機モジュール７３２、および第２のスペクトラムを介して通信するための無認可スペクトラム送信機モジュール７３４の形態をとる場合がある。いくつかの場合には、無認可スペクトラム送信機モジュール７３４は、図４または図５を参照して説明される送信機モジュール４３０または５３０と同様に構成され得る。認可スペクトラム送信機モジュール７３２または無認可スペクトラム送信機モジュール７３４を含む送信機モジュール７３０は、第１のスペクトラムと第２のスペクトラムとを含むワイヤレス通信システムの１つまたは複数の通信リンクを介して、様々なタイプのデータまたは制御信号（すなわち、送信）を送信するために使用され得る。
【００７０】
[0091]いくつかの例では、ワイヤレス通信管理モジュール７２０は、図３または図６を参照して説明されるワイヤレス通信管理モジュール３２０または６２０の１つまたは複数の態様の一例であってよく、並べ替え生成モジュール７３５、並べ替え関連モジュール７４０、並べ替え選択モジュール７４５、または並べ替え通信モジュール７５０を含んでよい。これらの構成要素の各々は、互いに通信していることがある。
【００７１】
[0092]いくつかの例では、並べ替え生成モジュール７３５は、ビットまたは変調シンボルのストリームを受信し、ビットまたは変調シンボルのストリームの複数の異なる並べ替えを生成するために使用され得る。いくつかの場合には、ビットまたは変調シンボルのストリームは、認可スペクトラムまたは無認可スペクトラム内のＬＴＥ／ＬＴＥ−Ａアップリンクチャネル上のＳＣ−ＦＤＭＡベースの送信に対して使用され得る。
【００７２】
[0093]いくつかの場合には、並べ替え生成モジュール７３５は、少なくとも１つ擬似ランダムシーケンスから導出された乗数をストリームに掛けることによって、ストリームの複数の異なる並べ替えを生成し得る。擬似ランダムシーケンスは、装置７１５（または装置７１５の無認可スペクトラム送信機モジュール７３４）と、装置７１５（または装置７１５の無認可スペクトラム送信機モジュール７３４）に通信可能に結合された受信機の両方に知られている場合がある。
【００７３】
[0094]いくつかの例では、並べ替え関連モジュール７４０は、並べ替え生成モジュール７３５によって生成された並べ替えの各々と無認可スペクトラム送信機モジュール７３４の別々の送信チェーンブランチとを関連付けるために使用され得る。次いで、並べ替えは、別々の送信チェーンブランチにおいて処理され得る。
【００７４】
[0095]いくつかの例では、並べ替え選択モジュール７４５は、無認可スペクトラム送信機モジュール７３４からの送信のための並べ替えのうちの１つを選択するために使用され得る。並べ替えのうちの１つは、並べ替えのそれぞれの推定された電力メトリック（たとえば、ＰＡＰＲまたはＣＭ）に基づいて選択され得る。いくつかの場合には、並べ替え選択モジュール７４５は、推定された電力メトリック捕捉モジュール７５５または推定された電力メトリック比較モジュール７６０を含み得る。推定された電力メトリック捕捉モジュール７５５は、並べ替えのそれぞれの推定された電力メトリックを（たとえば、無認可スペクトラム送信機モジュール７３４の別々の送信チェーンブランチから）捕捉するために使用され得る。それぞれの推定された電力メトリックは、無認可スペクトラム送信機モジュール７３４の別々の送信チェーンブランチの終端において、または無認可スペクトラム送信機モジュール７３４の別々の送信チェーンブランチにおける並べ替えの処理の間の１つまたは複数の中間点において、捕捉され得る。
【００７５】
[0096]推定された電力メトリック捕捉モジュール７５５が、無認可スペクトラム送信機モジュール７３４の別々の送信チェーンブランチにおいて処理された並べ替えに対するそれぞれの推定された電力メトリックを捕捉すると、推定された電力メトリック比較モジュール７６０は、推定された電力メトリックのうちの１つまたは複数がしきい値を満足するかどうかを決定するために、推定された電力メトリックの各々としきい値とを比較し得る。たとえば、推定された電力メトリック比較モジュール７６０は、各並べ替えの推定された電力メトリックとしきい値とをシリアルまたはパラレルに比較し、しきい値を満足する推定された電力メトリックを識別すると、並べ替え選択モジュール７４５は、無認可スペクトラム送信機モジュール７３４から送信するための識別された推定された電力メトリックに対応するその並べ替えを選択し得る。いくつかの場合には、他の推定された電力メトリックとしきい値との比較は、しきい値を満足するための第１の推定された電力メトリックを識別すると、スキップまたは終了される場合がある。推定された電力メトリックが別々の送信チェーンブランチの終端において捕捉されたとき、および推定された電力メトリックがいずれもしきい値を満足しなかったとき、並べ替え選択モジュール７４５は、比較を満足することに最も接近した推定された電力メトリックに基づいて、または何らかの他の基準に基づいて（たとえば、並べ替えのうちのデフォルトの並べ替えに基づいて）、無認可スペクトラム送信機モジュール７３４から送信するための並べ替えのうちの１つを選択し得る。それぞれの推定された電力メトリックが、別々の送信チェーンブランチにおける並べ替えの処理の間の中間点において捕捉されたとき、並べ替えのうちの選択された並べ替え以外の並べ替えの処理は、その中間点において中止され得る。選択されなかった並べ替えの処理の中止は、電力をセーブし得る。
【００７６】
[0097]別の例では、推定された電力メトリック比較モジュール７６０は、推定された電力メトリックのうちの最適なものを識別するために、それぞれの推定された電力メトリックを比較し得る。それぞれの推定された電力メトリックが別々の送信チェーンブランチの終端において捕捉されたとき、並べ替え選択モジュール７４５は、比較に基づいて無認可スペクトラム送信機モジュール７３４からの送信のための並べ替えのうちの１つを選択し得る。しかしながら、それぞれの推定された電力メトリックが、別々の送信チェーンブランチにおける並べ替えの処理の間の中間点において捕捉されたとき、並べ替え選択モジュール７４５は、推定された電力メトリック比較モジュール７６０によって行われる比較が終了したとき（たとえば、推定された電力メトリックもまたしきい値を満足したとき）だけ、送信のための並べ替えのうちの１つを選択し得る。比較が終了したことが決定されると、並べ替えのうちの選択された並べ替え以外の並べ替えの処理は、中間点において中止され得る。選択されなかった並べ替えの処理の中止は、電力をセーブし得る。比較が終了しないことが決定されると、尊敬される推定された電力メトリックが比較され得る追加の中間点が存在するか、またはそれぞれの推定された電力メトリックが別々の送信チェーンブランチの終端において比較され得るかが決定され得る。
【００７７】
[0098]いくつかの場合には、並べ替え選択モジュール７４５は、ビットまたは変調シンボルのストリームのスロット、サブフレーム、または他のブロックうちの少なくとも１つに対する複数の並べ替えのうちの１つを選択し得る。これらの場合には、複数の並べ替えのそれぞれの推定された電力メトリックは、ビットまたは変調シンボルのスロット、サブフレーム、または他のブロックの中のすべてのビットまたは変調シンボルにわたるそれぞれの推定された電力メトリックを含み得る。
【００７８】
[0099]いくつかの例では、並べ替え通信モジュール７５０は、並べ替え選択モジュール７４５によって選択された並べ替えの表示を、受信機に通信するために使用され得る。いくつかの場合には、並べ替え通信モジュール７５０は、基準信号修正モジュール７６５を使用して選択された並べ替えの表示を通信し得る。たとえば、並べ替え通信モジュール７５０は、ストリームに対する基準信号のサイクリックシフトパラメータを修正するために、基準信号修正モジュール７６５を使用し得る。サイクリックシフトパラメータは、修正されたサイクリックシフトパラメータと予期される値との間の差が選択された並べ替えを示すように、予期される値から修正され得る。いくつかの例では、サイクリックシフトパラメータが修正される基準信号シーケンスは、ＤＭ−ＲＳであってよく、またはそれを含んでよい。
【００７９】
[0100]図８は、本開示の様々な態様による、ワイヤレス通信の方法８００の一例を示すフローチャートである。明快にするために、方法８００は、図１、図２Ａもしくは図２Ｂを参照して説明されるＵＥ１１５もしくは２１５のうちの１つまたは複数、または、図３、図６もしくは図７を参照して説明される装置３１５、６１５もしくは７１５のうちの１つの態様を参照して以下で説明される。いくつかの例では、ＵＥ１１５もしくは２１５のうちの１つなどのＵＥ、または装置３１５、６１５もしくは７１５のうちの１つなどの装置は、以下で説明される機能を実行するようにＵＥまたは装置の機能要素を制御するために、コードの１つまたは複数のセットを実行することができる。
【００８０】
[0101]ブロック８０５において、ビットまたは変調シンボルのストリームの複数の異なる並べ替えが、生成され得る。いくつかの場合には、ビットまたは変調シンボルのストリームは、認可スペクトラムまたは無認可スペクトラム内のＬＴＥ／ＬＴＥ−Ａアップリンクチャネル上のＳＣ−ＦＤＭＡベースの送信に対して使用され得る。ブロック８０５における動作は、図３、図６もしくは図７を参照して説明されるワイヤレス通信管理モジュール３２０、６２０もしくは７２０、または、図６または図７を参照して説明される並べ替え生成モジュール６３５もしくは７３５によって実行され得る。
【００８１】
[0102]ブロック８１０において、ブロック８０５において生成された並べ替えの各々が、送信機の別々の送信チェーンブランチと関連付けられ得る。ブロック８１０における動作は、図３、図６もしくは図７を参照して説明されるワイヤレス通信管理モジュール３２０、６２０もしくは７２０、または、図６または図７を参照して説明される並べ替え関連モジュール６４０もしくは７４０によって実行され得る。いくつかの場合には、送信機は、図３、図４、図５、図６または図７を参照して説明される送信機モジュール３３０、４３０、５３０、６３０、または７３０であり得る。
【００８２】
[0103]ブロック８１５において、並べ替えのうちの１つは、並べ替えのそれぞれの推定された電力メトリック（たとえば、ＰＡＰＲまたはＣＭ）に基づいて、送信機からの送信のために選択され得る。ブロック８１５における動作は、図３、図６もしくは図７を参照して説明されるワイヤレス通信管理モジュール３２０、６２０もしくは７２０、または、図６もしくは図７を参照して説明される並べ替え選択モジュール６４５もしくは７４５によって実行され得る。
【００８３】
[0104]いくつかの例では、並べ替えのうちの１つは、ストリームのビットまたは変調シンボルのスロット、サブフレーム、または他のブロックうちの少なくとも１つに対して選択され得る。これらの例では、並べ替えのそれぞれの推定された電力メトリックは、ビットもしくは変調シンボルのスロット、サブフレーム、または他のブロック中のすべてのビットもしくは変調シンボルにわたるそれぞれの推定された電力メトリックを含み得る。
【００８４】
[0105]したがって、方法８００は、ワイヤレス通信を提供し得る。方法８００は一実装形態にすぎず、方法８００の動作は、他の実装形態が可能であるように再構成され、または別の方法で修正され得ることに留意されたい。
【００８５】
[0106]図９は、本開示の様々な態様による、ワイヤレス通信のための方法９００の一例を示すフローチャートである。明快にするために、方法９００は、図１、図２Ａもしくは図２Ｂを参照して説明されるＵＥ１１５もしくは２１５のうちの１つまたは複数、または、図３、図６もしくは図７を参照して説明される装置３１５、６１５もしくは７１５のうちの１つの態様を参照して以下で説明される。いくつかの例では、ＵＥ１１５もしくは２１５のうちの１つなどのＵＥ、または装置３１５、６１５もしくは７１５のうちの１つなどの装置は、以下で説明される機能を実行するようにＵＥまたは装置の機能要素を制御するために、コードの１つまたは複数のセットを実行することができる。
【００８６】
[0107]ブロック９０５において、ビットまたは変調シンボルのストリームの複数の異なる並べ替えは、少なくとも１つ擬似ランダムシーケンスから導出された乗数をストリームに乗じることによって生成され得る。いくつかの場合には、ビットまたは変調シンボルのストリームは、認可スペクトラムまたは無認可スペクトラム内のＬＴＥ／ＬＴＥ−Ａアップリンクチャネル上のＳＣ−ＦＤＭＡベースの送信に対して使用され得る。擬似ランダムシーケンスは、送信機と、送信機に通信可能に結合された受信機の両方に知られ得る。
【００８７】
[0108]ブロック９０５における動作は、図３、図６もしくは図７を参照して説明されるワイヤレス通信管理モジュール３２０、６２０もしくは７２０、または、図６または図７を参照して説明される並べ替え生成モジュール６３５もしくは７３５によって実行され得る。いくつかの場合には、送信機は、図３、図４、図５、図６または図７を参照して説明される送信機モジュール３３０、４３０、５３０、６３０、または７３０であり得る。
【００８８】
[0109]ブロック９１０において、ブロック９０５において生成された複数の並べ替えの各々が、送信機の別々の送信チェーンブランチと関連付けられ得る。ブロック９１０における動作は、図３、図６もしくは図７を参照して説明されるワイヤレス通信管理モジュール３２０、６２０もしくは７２０、または、図６もしくは図７を参照して説明される並べ替え関連モジュール６４０もしくは７４０によって実行され得る。
【００８９】
[0110]ブロック９１５において、並べ替えのうちの１つは、並べ替えのそれぞれの推定された電力メトリック（たとえば、ＰＡＰＲまたはＣＭ）に基づいて、送信機からの送信のために選択され得る。ブロック９１５における動作は、図３、図６もしくは図７を参照して説明されるワイヤレス通信管理モジュール３２０、６２０もしくは７２０、または、図６もしくは図７を参照して説明される並べ替え選択モジュール６４５もしくは７４５によって実行され得る。
【００９０】
[0111]いくつかの例では、並べ替えのうちの１つは、ストリームのビットまたは変調シンボルのスロット、サブフレーム、または他のブロックうちの少なくとも１つに対して選択され得る。これらの例では、並べ替えのそれぞれの推定された電力メトリックは、ビットまたは変調シンボルのスロット、サブフレーム、または他のブロックの中のすべてのビットまたは変調シンボルにわたるそれぞれの推定された電力メトリックを含み得る。
【００９１】
[0112]ブロック９２０において、選択された並べ替えの表示は、受信機に通信され得る。いくつかの例では、選択された並べ替えは、ストリームに対する基準信号シーケンスのサイクリックシフトパラメータを修正することによって通信され得る。サイクリックシフトパラメータは、修正されたサイクリックシフトパラメータと予期される値との間の差が選択された並べ替えを示すように、予期される値から修正され得る。いくつかの例では、サイクリックシフトパラメータが修正される基準信号シーケンスは、ＤＭ−ＲＳであってよく、またはそれを含んでよい。ブロック９２０における動作は、図３、図６もしくは図７を参照して説明されるワイヤレス通信管理モジュール３２０、６２０もしくは７２０、または、図７を参照して説明される並べ替え通信モジュール７５０もしくは基準信号修正モジュール７６５によって実行され得る。
【００９２】
[0113]したがって、方法９００は、ワイヤレス通信を提供し得る。方法９００は一実装形態にすぎず、方法９００の動作は、他の実装形態が可能であるように再構成され、または別の方法で修正され得ることに留意されたい。
【００９３】
[0114]図１０は、本開示の様々な態様による、ワイヤレス通信のための方法１０００の一例を示すフローチャートである。明快にするために、方法１０００は、図１、図２Ａもしくは図２Ｂを参照して説明されるＵＥ１１５もしくは２１５のうちの１つまたは複数、または、図３、図６もしくは図７を参照して説明される装置３１５、６１５もしくは７１５のうちの１つの態様を参照して以下で説明される。いくつかの例では、ＵＥ１１５もしくは２１５のうちの１つなどのＵＥ、または装置３１５、６１５もしくは７１５のうちの１つなどの装置は、以下で説明される機能を実行するようにＵＥまたは装置の機能要素を制御するために、コードの１つまたは複数のセットを実行することができる。
【００９４】
[0115]ブロック１００５において、ビットまたは変調シンボルのストリームの複数の異なる並べ替えが、生成され得る。いくつかの場合には、ビットまたは変調シンボルのストリームは、認可スペクトラムまたは無認可スペクトラム内のＬＴＥ／ＬＴＥ−Ａアップリンクチャネル上のＳＣ−ＦＤＭＡベースの送信に対して使用され得る。ブロック１００５における動作は、図３、図６もしくは図７を参照して説明されるワイヤレス通信管理モジュール３２０、６２０もしくは７２０、または、図６もしくは図７を参照して説明される並べ替え生成モジュール６３５もしくは７３５によって実行され得る。いくつかの場合には、送信機は、図３、図４、図５、図６または図７を参照して説明される送信機モジュール３３０、４３０、５３０、６３０または７３４であり得る。
【００９５】
[0116]ブロック１０１０において、ブロック８０５において生成された並べ替えの各々が、送信機の別々の送信チェーンブランチと関連付けられ得る。ブロック１０１０における動作は、図３、図６もしくは図７を参照して説明されるワイヤレス通信管理モジュール３２０、６２０もしくは７２０、または、図６もしくは図７を参照して説明される並べ替え関連モジュール６４０もしくは７４０によって実行され得る。
【００９６】
[0117]ブロック１０１５において、並べ替えは、送信機の別々の送信チェーンブランチにおいて処理され得る。ブロック１０１５における動作は、図３、図４、図６もしくは図７を参照して説明される送信機モジュール３３０、４３０、６３０もしくは７３０、または、図４もしくは図５を参照して説明される送信チェーンブランチ４３５、４４０もしくは４４５、または５３５、５４０もしくは５４５によって実行され得る。
【００９７】
[0118]ブロック１０２０において、送信機の別々の送信チェーンブランチの終端における並べ替えのそれぞれの推定された電力メトリック（たとえば、ＰＡＰＲまたはＣＭ）は、（たとえば、しきい値を満足する推定された電力メトリックのうちの１つを識別するため、または推定された電力メトリックのうちの最適なものを識別するために）しきい値と比較され得るか、または互いに比較され得る。ブロック１０２０における動作は、図３、図６もしくは図７を参照して説明されるワイヤレス通信管理モジュール３２０、６２０もしくは７２０、図６もしくは図７を参照して説明される並べ替え選択モジュール６４５もしくは７４５、または図７を参照して説明される推定された電力メトリック捕捉モジュール７５５もしくは推定された電力メトリック比較モジュール７６０によって実行され得る。
【００９８】
[0119]ブロック１０２５において、並べ替えのうちの１つが、送信機からの送信のために選択され得る。並べ替えのうちの１つは、ブロック１０２０における比較に基づいて選択され得る。ブロック１０２５における動作は、図３、図６もしくは図７を参照して説明されるワイヤレス通信管理モジュール３２０、６２０もしくは７２０、または、図６もしくは図７を参照して説明される並べ替え選択モジュール６４５もしくは７４５によって実行され得る。
【００９９】
[0120]いくつかの例では、並べ替えのうちの１つは、ストリームのビットもしくは変調シンボルのスロット、サブフレーム、または他のブロックうちの少なくとも１つに対して選択され得る。これらの例では、並べ替えのそれぞれの推定された電力メトリックは、ビットもしくは変調シンボルのスロット、サブフレーム、または他のブロックの中のすべてのビットもしくは変調シンボルにわたるそれぞれの推定された電力メトリックを含み得る。
【０１００】
[0121]したがって、方法１０００はワイヤレス通信を提供し得る。方法１０００は一実装形態にすぎず、方法１０００の動作は、他の実装形態が可能であるように再構成され、または別の方法で修正され得ることに留意されたい。
【０１０１】
[0122]図１１は、本開示の様々な態様による、ワイヤレス通信のための方法１１００の一例を示すフローチャートである。明快にするために、方法１１００は、図１、図２Ａもしくは図２Ｂを参照して説明されるＵＥ１１５もしくは２１５のうちの１つまたは複数、または、図３、図６もしくは図７を参照して説明される装置３１５、６１５もしくは７１５のうちの１つの態様を参照して以下で説明される。いくつかの例では、ＵＥ１１５もしくは２１５のうちの１つなどのＵＥ、または装置３１５、６１５もしくは７１５のうちの１つなどの装置は、以下で説明される機能を実行するようにＵＥまたは装置の機能要素を制御するために、コードの１つまたは複数のセットを実行することができる。
【０１０２】
[0123]ブロック１１０５において、ビットまたは変調シンボルのストリームの複数の異なる並べ替えが、生成され得る。いくつかの場合には、ビットまたは変調シンボルのストリームは、認可スペクトラムまたは無認可スペクトラム内のＬＴＥ／ＬＴＥ−Ａアップリンクチャネル上のＳＣ−ＦＤＭＡベースの送信に対して使用され得る。ブロック１１０５における動作は、図３、図６もしくは図７を参照して説明されるワイヤレス通信管理モジュール３２０、６２０もしくは７２０、または、図６もしくは図７を参照して説明される並べ替え生成モジュール６３５もしくは７３５によって実行され得る。いくつかの場合には、送信機は、図３、図４、図５、図６または図７を参照して説明される送信機モジュール３３０、４３０、５３０、６３０または７３０であり得る。
【０１０３】
[0124]ブロック１１１０において、ブロック８０５において生成された並べ替えの各々が、送信機の別々の送信チェーンブランチと関連付けられ得る。ブロック１１１０における動作は、図３、図６もしくは図７を参照して説明されるワイヤレス通信管理モジュール３２０、６２０もしくは７２０、または、図６もしくは図７を参照して説明される並べ替え関連モジュール６４０もしくは７４０によって実行され得る。
【０１０４】
[0125]ブロック１１１５において、並べ替えは、送信機の別々の送信チェーンブランチにおいて処理され得る。ブロック１１１５における動作は、図３、図４、図６もしくは図７を参照して説明される送信機モジュール３３０、４３０、６３０もしくは７３０、または、図４もしくは図５を参照して説明される送信チェーンブランチ４３５、４４０もしくは４４５、または５３５、５４０もしくは５４５によって実行され得る。
【０１０５】
[0126]ブロック１１２０において、送信機の別々の送信チェーンブランチにおける並べ替えの処理の間の中間点における並べ替えのそれぞれの推定された電力メトリック（たとえば、ＰＡＰＲまたはＣＭ）は、（たとえば、しきい値を満足する推定された電力メトリックのうちの１つを識別するため、または推定された電力メトリックのうちの最適なものを識別するために）しきい値と比較され得るか、または互いに比較され得る。ブロック１１２０における動作は、図３、図６もしくは図７を参照して説明されるワイヤレス通信管理モジュール３２０、６２０もしくは７２０、図６もしくは図７を参照して説明される並べ替え選択モジュール６４５もしくは７４５、または図７を参照して説明される推定された電力メトリック捕捉モジュール７５５もしくは推定された電力メトリック比較モジュール７６０によって実行され得る。
【０１０６】
[0127]ブロック１１２５において、（たとえば、推定された電力メトリックが、同様に、しきい値を満足したときに）中間点における並べ替えのそれぞれの推定された電力メトリックの比較が終了しているかどうかが決定され得る。比較が終了していることが決定されると、ブロック１１３０において、並べ替えのうちの１つが、送信機からの送信のために選択され得る。並べ替えのうちの１つは、ブロック１１２０における比較に基づいて選択され得る。
【０１０７】
[0128]ブロック１１３５において、および中間点における比較が終了したことの決定に応答して、並べ替えのうちの選択された並べ替え以外の並べ替えの処理は、中間点において中止され得る。選択されなかった並べ替えの処理の中止は、電力をセーブし得る。
【０１０８】
[0129]ブロック１１２５、１１３０、または１１３５における動作は、図３、図６もしくは図７を参照して説明されるワイヤレス通信管理モジュール３２０、６２０もしくは７２０、または、図６もしくは図７を参照して説明される並べ替え選択モジュール６４５もしくは７４５によって実行され得る。
【０１０９】
[0130]ブロック１１４０において、およびブロック１１２０において行われた比較が終了していないことがブロック１１２５において決定されたときに、並べ替えのそれぞれの推定された電力メトリックがしきい値と比較され得るか、または互いに比較され得る、追加の中間点（たとえば、送信機の別々の送信チェーンブランチにおける並べ替えの処理の間の追加の中間点）が存在するかどうかが、決定され得る。追加の中間点が存在するとき、方法１１００のフローは、ブロック１１２０に戻り、そこで、並べ替えのそれぞれの推定された電力メトリックが、追加の中間点においてしきい値と比較され得るか、または互いに比較され得る。他の場合、方法１１００は、ブロック１１４５に続き得る。
【０１１０】
[0131]ブロック１１４５において、送信機の別々の送信チェーンブランチの終端における並べ替えのそれぞれの推定された電力メトリックは、（たとえば、しきい値を満足する推定された電力メトリックのうちの１つを識別するため、または推定された電力メトリックのうちの最適なものを識別するために）しきい値と比較され得るか、または互いに比較され得る。ブロック１１４５における動作は、図３、図６もしくは図７を参照して説明されるワイヤレス通信管理モジュール３２０、６２０もしくは７２０、図６もしくは図７を参照して説明される並べ替え選択モジュール６４５もしくは７４５、または図７を参照して説明される推定された電力メトリック捕捉モジュール７５５もしくは推定された電力メトリック比較モジュール７６０によって実行され得る。
【０１１１】
[0132]ブロック１１５０において、並べ替えのうちの１つが、送信機からの送信のために選択され得る。並べ替えのうちの１つは、ブロック１１４５における比較に基づいて選択され得る。ブロック１１５０における動作は、図３、図６もしくは図７を参照して説明されるワイヤレス通信管理モジュール３２０、６２０もしくは７２０、または、図６もしくは図７を参照して説明される並べ替え選択モジュール６４５もしくは７４５によって実行され得る。
【０１１２】
[0133]いくつかの例では、ブロック１１３０またはブロック１１５０において選択された並べ替えのうちの１つは、ストリームのビットもしくは変調シンボルのスロット、サブフレーム、または他のブロックうちの少なくとも１つに対して選択され得る。これらの例では、並べ替えのそれぞれの推定された電力メトリックは、ビットもしくは変調シンボルのスロット、サブフレーム、または他のブロックの中のすべてのビットもしくは変調シンボルにわたるそれぞれの推定された電力メトリックを含み得る。
【０１１３】
[0134]したがって、方法１１００はワイヤレス通信を提供し得る。方法１１００は一実装形態にすぎず、方法１１００の動作は、他の実装形態が可能であるように再構成され、または別の方法で修正され得ることに留意されたい。
【０１１４】
[0135]いくつかの場合には、方法８００、９００、１０００または１１００の１つまたは複数の態様が、組み合わされ得る。
【０１１５】
[0136]図１２は、本開示の様々な態様による、ＬＴＥ／ＬＴＥ−Ａ通信用に構成されたジョイントプリコーディングハードウェア１２１０を使用してジョイントインターレースプリコーディングを実行するために、割り振られたインターレース１２０５がどのように区分され得るかの一例１２００を示す。
【０１１６】
[0137]現在のＬＴＥ／ＬＴＥ−Ａ規格は、リソースブロックが、２、３または５  ＲＢの倍数でＵＥに割り振られることを命じている。その結果、現在利用可能なジョイントプリコーディングハードウェア１２１０は、２、３または５  ＲＢのグループをプリコーディングする（たとえば、ＤＦＴプリコーディングする）ことだけが可能である。しかしながら、ＲＢがインターリーブされたアップリンク送信を利用するとき、２、３または５  ＲＢの倍数でない数のインターレース（たとえば、７つのインターレース）が、特定のＵＥに割り振られる状況が生じる場合がある。したがって、２、３、５または何らかの他の数のＲＢ（たとえば、７つのＲＢ）をプリコーディングすることが可能なジョイントインターレースプリコーディングハードウェアが、設計されることが必要となる場合がある。代替として、サポートされない数のインターレースがＵＥに割り振られたとき、割り振られたインターレースは、インターレースの少なくとも２つのサブセット１２１５、１２２０（たとえば、インターレースのサブセット１２１５は１つのインターレース（たとえば、ＲＢ１２１５−ａ、１２１５−ｂおよび１２１５−ｃ）を含み、インターレースのサブセット１２２０は６つのインターレース（たとえば、ＲＢ１２２０ａ、１２２０ｂおよび１２２０−ｃのグループ）を含む）に区分され得、インターレースの各サブセット１２１５、１２２０のサイズは、既存のジョイントプリコーディングハードウェア１２１０によってサポートされる。次いで、ジョイントプリコーディングは、インターレースの各サブセット１２１５、１２２０上で、別々に（たとえば、ビットまたは変調シンボルのストリームに対して）実行され得る。したがって、たとえば、各々が１０のＲＢを有する７つのインターレースの割振りは、１０：６０、２０：５０または３０：４０の比のＲＢに区分され得る。いくつかの場合には、インターレースの各サブセットのサイズは、選択されるサイズの組合せに関連する電力メトリックに基づいて選択され得る。たとえば、選択されるサイズの組合せに対する電力メトリックを最適化する（たとえば、ＰＡＰＲまたはＣＭを低減する）区分が、選択され得る。
【０１１７】
[0138]いくつかの例では、インターレースの少なくとも２つのサブセット１２１５、１２２０の各々は、同じジョイントプリコーディングハードウェア１２１０によって別々に処理されてよく、その場合、ブロック１２１０−ａおよび１２１０−ｂは、時間的に異なる点における同じジョイントプリコーディングハードウェア１２１０を表し得る。他の例では、インターレースの少なくとも２つのサブセット１２１５、１２２０の各々は、異なるジョイントプリコーディングハードウェア１２１０によって別々に処理されてよく、その場合、ブロック１２１０−ａおよび１２１０−ｂは、異なるジョイントプリコーディングハードウェアを表し得る。ジョイントインターレースプリコーディングの出力は、ＩＤＦＴモジュールなど、ダウンストリーム処理モジュールに供給され得る。
【０１１８】
[0139]図１３は、本開示の様々な態様による、ワイヤレス通信において使用するための装置１３１５のブロック図１３００を示す。いくつかの例では、装置１３１５は、図１、図２Ａもしくは図２Ｂを参照して説明されるＵＥ１１５もしくは２１５、または図３、図６もしくは図７を参照して説明される装置３１５、６１５もしくは７１５のうちの１つの１つまたは複数の態様の一例であり得る。装置１３１５はまた、プロセッサであってよい。装置１３１５は、受信機モジュール１３１０、ワイヤレス通信管理モジュール１３２０、または送信機モジュール１３３０を含み得る。これらの構成要素の各々は、互いに通信していることがある。
【０１１９】
[0140]装置１３１５の構成要素は、個別にまたは集合的に、ハードウェア中の適用可能な機能の一部またはすべてを実行するように適応された１つまたは複数のＡＳＩＣを使用して実装され得る。代替的には、それらの機能は、１つまたは複数の他の処理ユニット（またはコア）によって、１つまたは複数の集積回路上で実行され得る。他の例では、当技術分野で知られている任意の方法でプログラムされ得る、他のタイプの集積回路（たとえば、ストラクチャード／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。
【０１２０】
[0141]いくつかの例では、受信機モジュール１３１０は、第１のスペクトラム（たとえば、ＬＴＥ／ＬＴＥ−Ａ認可スペクトラム）または第２のスペクトラム（たとえば、同じまたは異なる送信プロトコルのもとで動作する１つまたは複数の装置と共有されてよく、ＷｉＦｉスペクトラムを含んでよい、ＬＴＥ／ＬＴＥ−Ａ無認可スペクトラム）内の送信を受信するように動作可能なＲＦ受信機などの無線周波数（ＲＦ）受信機であるか、またはそれを含み得る。ＲＦ受信機は、第１のスペクトラムおよび第２のスペクトラムのための別々の受信機を含み得る。いくつかの場合には、別々の受信機は、第１のスペクトラムを介して通信するための認可スペクトラム受信機モジュール１３１２、および第２のスペクトラムを介して通信するための無認可スペクトラム受信機モジュール１３１４の形態をとる場合がある。認可スペクトラム受信機モジュール１３１２または無認可スペクトラム受信機モジュール１３１４を含む受信機モジュール１３１０は、図１、図２Ａまたは図２Ｂを参照して説明されるワイヤレス通信システム１００、２００または２５０の１つまたは複数の通信リンクなど、第１および第２のスペクトラムを含むワイヤレス通信システムの１つまたは複数の通信リンクを介して様々なタイプのデータまたは制御信号（すなわち、送信）を受信するために使用され得る。
【０１２１】
[0142]いくつかの例では、送信機モジュール１３３０は、第１のスペクトラムまたは第２のスペクトラム内で送信するように動作可能なＲＦ送信機など、ＲＦ送信機であるか、またはそれを含み得る。ＲＦ送信機は、第１のスペクトラムおよび第２のスペクトラムのための別々の送信機を含み得る。いくつかの場合には、別々の送信機は、第１のスペクトラムを介して通信するための認可スペクトラム送信機モジュール１３３２、および第２のスペクトラムを介して通信するための無認可スペクトラム送信機モジュール１３３４の形態をとる場合がある。認可スペクトラム送信機モジュール１３３２または無認可スペクトラム送信機モジュール１３３４を含む送信機モジュール１３３０は、第１のスペクトラムと第２のスペクトラムとを含むワイヤレス通信システムの１つまたは複数の通信リンクを介して、様々なタイプのデータまたは制御信号（すなわち、送信）を送信するために使用され得る。いくつかの場合には、無認可スペクトラム送信機モジュール１３３４は、図１２を参照して説明されるジョイントプリコーディングハードウェア１２１０などのジョイントインターレースプリコーディングハードウェア１３３６を含み得る。
【０１２２】
[0143]いくつかの例では、ワイヤレス通信管理モジュール１３２０は、図３、図６または図７を参照して説明されるワイヤレス通信管理モジュール３２０、６２０または７２０の１つまたは複数の態様の一例であってよく、割り振られたインターレース受信モジュール１３３５または割り振られたインターレース区分モジュール１３４０を含み得る。これらの構成要素の各々は、互いに通信していることがある。
【０１２３】
[0144]いくつかの例では、割り振られたインターレース受信モジュール１３３５は、共有スペクトラム（たとえば、ＬＴＥ／ＬＴＥ−Ａ通信が無認可スペクトラム送信機モジュール１３３４を使用して送信され得る無認可スペクトラム）を介するアップリンク送信のための割り振られたインターレースの数を受信するために使用され得る。各インターレースは、共有スペクトラムの複数の非連続的ＲＢを含み得る。いくつかの場合には、割り振られたインターレースの数は、無認可スペクトラム送信機モジュール１３３４のジョイントインターレースプリコーディングハードウェア１３３６によってサポートされない場合がある。いくつかの場合には、割り振られたインターレースの数は、７であり得る。
【０１２４】
[0145]いくつかの例では、インターレースの各サブセットのサイズが、無認可スペクトラム送信機モジュール１３３４のジョイントインターレースプリコーディングハードウェア１３３６によってサポートされるように、割り振られたインターレース区分モジュール１３４０は、割り振られたインターレース受信モジュール１３３５によって受信された割り振られたインターレースを、インターレースの少なくとも２つのサブセットに区分するために使用され得る。いくつかの場合には、インターレースの各サブセットのサイズは、装置１３１５に対して選択されるサイズの組合せに関連する電力メトリック（たとえば、ＰＡＰＲまたはＣＭ）に基づいて選択され得る。たとえば、インターレースの各サブセットのサイズは、選択されるサイズの組合せと関連するＰＡＰＲまたはＣＭを低減するように選択され得る。割り振られたインターレース受信モジュール１３３５によって７つの割り振られたインターレースが受信される場合、割り振られたインターレース区分モジュール１３４０は、割り振られたインターレースを、１つのインターレースの第１のセットと６つのインターレースの第２のセットとに区分し得る。
【０１２５】
[0146]いくつかの例では、ジョイントインターレースプリコーディングハードウェア１３３６は、割り振られたインターレース区分モジュール１３４０によって画定されたインターレースの各サブセットに対して、ジョイントインターレースプリコーディングを別々に実行するために使用され得る。次いで、インターレースのプリコーディングされたサブセットは、無認可スペクトラム送信機モジュール１３３４によって共有スペクトラムを介して基地局に送信され得る。
【０１２６】
[0147]図１４は、本開示の様々な態様による、ワイヤレス通信のための方法１４００の一例を示すフローチャートである。明快にするために、方法１４００は、図１、図２Ａもしくは図２Ｂを参照して説明されるＵＥ１１５もしくは２１５のうちの１つまたは複数、または、図３もしくは図１３を参照して説明される装置３１５もしくは１３１５のうちの１つの態様を参照して以下で説明される。いくつかの例では、ＵＥ１１５もしくは２１５のうちの１つなどのＵＥ、または装置３１５もしくは１３１５のうちの１つなどの装置は、以下で説明される機能を実行するようにＵＥまたは装置の機能要素を制御するために、コードの１つまたは複数のセットを実行することができる。
【０１２７】
[0148]ブロック１４０５において、共有スペクトラム（たとえば、ＬＴＥ／ＬＴＥ−Ａ通信が無認可スペクトラム送信機モジュール１３３４を使用して送信され得る無認可スペクトラム）を介するアップリンク送信のための割り振られたインターレースの数が、ＵＥにおいて受信され得る。各インターレースは、共有スペクトラムの複数の非連続的ＲＢを含み得る。いくつかの場合には、割り振られたインターレースの数は、ＵＥのジョイントインターレースプリコーディングハードウェアによってサポートされ得ない。いくつかの場合には、割り振られたインターレースの数は、７であり得る。ブロック１４０５における動作は、図３もしくは図１３を参照して説明されるワイヤレス通信管理モジュール３２０もしくは１３２０、または、図１３を参照して説明される割り振られたインターレース受信モジュール１３３５によって実行され得る。
【０１２８】
[0149]ブロック１４１０において、割り振られたインターレースは、インターレースの各サブセットのサイズが、ＵＥのジョイントインターレースプリコーディングハードウェアによってサポートされるように、インターレースの少なくとも２つのサブセットに区分され得る。いくつかの場合には、インターレースの各サブセットのサイズは、ＵＥに対して選択されるサイズの組合せと関連する電力メトリック（たとえば、ＰＡＰＲまたはＣＭ）に基づいて選択され得る。たとえば、インターレースの各サブセットのサイズは、選択されるサイズの組合せと関連するＰＡＰＲまたはＣＭを低減するように選択され得る。７つの割り振られたインターレースがＵＥにおいて受信される場合、割り振られたインターレースは、１つのインターレースの第１のセットと６つのインターレースの第２のセットとに区分され得る。ブロック１４１０における動作は、図３もしくは図１３を参照して説明されるワイヤレス通信管理モジュール３２０もしくは１３２０、または、図１３を参照して説明される割り振られたインターレース区分モジュール１３４０によって実行され得る。
【０１２９】
[0150]ブロック１４１５において、ジョイントインターレースプリコーディングは、ＵＥにおけるインターレースの各サブセットに対して別々に実行され得る。ブロック１４１５における動作は、図３もしくは図１３を参照して説明されるワイヤレス通信管理モジュール３２０もしくは１３２０、または、図１２もしくは図１３を参照して説明されるジョイントプリコーディングハードウェア１２１０もしくは１３３６によって実行され得る。
【０１３０】
[0151]ブロック１４２０において、インターレースのプリコーディングされたサブセットは、共有スペクトラムを介して基地局に送信され得る。
【０１３１】
[0152]したがって、方法１４００は、ワイヤレス通信を提供し得る。方法１４００は一実装形態にすぎず、方法１４００の動作は、他の実装形態が可能であるように再構成され、または別の方法で修正され得ることに留意されたい。
【０１３２】
[0153]図１５および図１６は、共有スペクトラムを介するアップリンク送信に対するいくつかの割り振られたインターレースの各リソースブロックに対して、基準信号がどのように生成され得るかの例を示す。より具体的には、図１５は、本開示の様々な態様による、共有スペクトラムを介するアップリンク送信に対するいくつかの割り振られたインターレースの各リソースブロックに対して、基準信号（たとえば、復調基準信号（ＤＭ−ＲＳ））がどのように生成され得るかの一例１５００を示す。例として、図１５は、１０のインターレースの一部を示し、そのうち、１０のインターレースのうちの３つのインターレース１５０５、１５１０、および１５１５が、特定のＵＥに割り振られる。ブロック１５０５−ａ、１５１０−ａ、１５１５−ａ、１５０５−ｂ、１５１０−ｂ、１５１５−ｂ、１５０５−ｃ、１５１０−ｃ、および１５１５−ｃの各々は、１２の周波数サブキャリアを含む単一のＲＢを表し、各インターレース１５０５、１５１０、および１５１５は、１０の非連続的ＲＢを含み得る（が、各インターレースの３つのＲＢだけが、図１５に示されている）。例１５００によれば、基準信号シーケンスは、割り振られたインターレース１５０５、１５１０、および１５１５だけに基づいて生成され得る。したがって、たとえば、３６０の基準信号シンボルを有する１つの基準信号シーケンスが生成され得る（たとえば、１０のＲＢ／インターレース×３つの割り振られたインターレース×１２の周波数サブキャリア／ＲＢ）。次いで、基準信号シーケンスからの基準信号シンボルが、周波数に従って割り振られたインターレースのＲＢにマッピングされ得る。このようにして、割り振られたインターレースの各ＲＢ（１５０５−ａ、１５１０−ａ、１５１５−ａ、１５０５−ｂ、．．．）に対して生成された基準信号（たとえば、ｘ１、ｘ２、ｘ３、ｘ４、．．．）は、そのリソースブロックにマッピングされた基準信号シンボルを含み得る。
【０１３３】
[0154]図１６は、本開示の様々な態様による、共有スペクトラムを介するアップリンク送信に対するいくつかの割り振られたインターレースの各ＲＢに対して、基準信号（たとえば、ＤＭ−ＲＳ）がどのように生成され得るかの別の例１６００を示す。例として、図１６は、１０のインターレースの一部を示し、そのうち、１０のインターレースのうちの３つのインターレース１６０５、１６１０および１６１５が、特定のＵＥに割り振られる。ブロック１６０５−ａ、１６１０−ａ、１６１５−ａ、１６０５−ｂ、１６１０−ｂ、１６１５−ｂ、１６０５−ｃ、１６１０−ｃ、および１６１５−ｃの各々は、１２の周波数サブキャリアを含む単一のＲＢを表し、各インターレース１６０５、１６１０および１６１５は、１０の非連続的ＲＢを含み得る（が、各インターレースの３つのＲＢだけが、図１６に示されている）。例１６００によれば、基準信号シーケンスは、割り振られたインターレース１６０５、１６１０、および１６１５、ならびに割り振られないインターレース１６２０、１６２５、１６３０、１６３５、１６４０、１６４５および１６５０に基づいて生成され得る。したがって、たとえば、１２００の基準信号シンボルを有する１つの基準信号シーケンスが生成され得る（たとえば、１０のＲＢ／インターレース×１０のインターレース×１２の周波数サブキャリア／ＲＢ）。次いで、基準信号シーケンスからの基準信号シンボルが、周波数に従って割り振られたインターレースと割り振られないインターレースの両方のＲＢにマッピングされ得る。このようにして、基準信号シーケンスは、基準信号シンボルを、割り振られたインターレース１６０５、１６１０および１６１５にマッピングするときにパンクチャされる場合がある。割り振られたインターレースの各それぞれのＲＢ（１６０５−ａ、１６１０−ａ、１６１５−ａ、１６０５−ｂ、．．．）に対して生成された基準信号（たとえば、ｘ１、ｘ２、ｘ３、ｘ１１、．．．）は、そのリソースブロックにマッピングされた基準信号シンボルを含み得る。
【０１３４】
[0155]いくつかの場合には、いくつかのコンピュータ生成シーケンス（ＣＧＳ）が生成され、基準信号（たとえば、ＤＭ−ＲＳ）として使用され得る。ＣＧＳの数は、１つの因子、いくつかの場合には１０、×（times）割り振られたインターレースの数など、または実装因子（inplementation factor）に基づいて、あらかじめ決定され得る。たとえば、３つの割り振られたインターレースを有するＵＥは、３０のＣＧＳと関連付けられ得る。ＣＧＳは、低い循環相互相関（circular cross correlation）に対して最適化され得、いくつかの場合には、物理アップリンク制御チャネル（ＰＵＣＣＨ）推定のために使用される。いくつかの場合には、ＣＧＳは、たとえば各ＲＢの１２の周波数サブキャリアと一致するために、１２の長さであるが、ＣＧＳは、特定の実装形態に適切な任意の長さであってよい。いくつかの例では、ＣＧＳは、割り振られたインターレースのＲＢに対して、たとえばランダムにまたは系統的に割り振られる。現在の例では、３つの割り振られたインターレースを有するＵＥは、３０の長さの１２のシーケンスのうちの１つを各インターレース内の各アクティブなＲＢに割り振ることができる。近傍にある異なる基地局のＵＥが所与のＲＢ内の同じＣＧＳを拾い、そのことが、その基地局において不十分なチャネル推定値をもたらすことがある機会が存在することに留意されたい。これを回避するために、より多くのＣＧＳが生成されてよい。いくつかの場合には、衝突した場合の干渉を低減するために、ランダムサイクリックシフトが、各ＣＧＳの先頭に追加される場合がある。
【０１３５】
[0156]いくつかの例では、基準信号（たとえば、ＤＭ−ＲＳ）は、ＣＧＳとＺａｄｏｆｆ−Ｃｈｕ（ＺＣ）シーケンスの組合せであってよい。たとえば、基準信号シーケンスは、内部ＣＧＳおよび外部ＺＣシーケンスからなる場合がある。内部シーケンスはランダムに選択されたＣＧＳであってよく、インターレース内のすべてのＲＢに共通であってよい。外部シーケンスは、インターレース内のＲＢの数の長さ、たとえば１０、であってよい。時には、外部シーケンスは、長さが１０である場合、３、７または９など、長さに対して互いに素（prime）である根（root）を用いて生成される。同じＵＥに割り振られたインターレースは、同じ外部ＺＣシーケンスを含み得る。外部ＺＣシーケンスは、ＵＥ間で異なる場合がある。インターレースに対する基準信号は、外部ＺＣシーケンスと内部ＣＧＳとのクロネッカー積であり得る。いくつかの場合には、この基準信号は、良好な循環自己相関（circular auto-correlation）を有する。
【０１３６】
[0157]図１７は、本開示の様々な態様による、ワイヤレス通信において使用するための装置１７１５のブロック図１７００を示す。いくつかの例では、装置１７１５は、図１、図２Ａもしくは図２Ｂを参照して説明されるＵＥ１１５もしくは２１５、または図３、図６、図７もしくは図１３を参照して説明される装置３１５、６１５、７１５もしくは１３１５のうちの１つの１つまたは複数の態様の一例であり得る。装置１７１５はまた、プロセッサであってよい。装置１７１５は、受信機モジュール１７１０、ワイヤレス通信管理モジュール１７２０、または送信機モジュール１７３０を含み得る。これらの構成要素の各々は、互いに通信していることがある。
【０１３７】
[0158]装置１７１５の構成要素は、個別にまたは集合的に、ハードウェア中の適用可能な機能の一部またはすべてを実行するように適応された１つまたは複数のＡＳＩＣを使用して実装され得る。代替的には、それらの機能は、１つまたは複数の他の処理ユニット（またはコア）によって、１つまたは複数の集積回路上で実行され得る。他の例では、当技術分野で知られている任意の方法でプログラムされ得る、他のタイプの集積回路（たとえば、ストラクチャード／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。
【０１３８】
[0159]いくつかの例では、受信機モジュール１７１０は、第１のスペクトラム（たとえば、ＬＴＥ／ＬＴＥ−Ａ認可スペクトラム）または第２のスペクトラム（たとえば、同じまたは異なる送信プロトコルのもとで動作する１つまたは複数の装置と共有されてよく、ＷｉＦｉスペクトラムを含んでよい、ＬＴＥ／ＬＴＥ−Ａ無認可スペクトラム）内の送信を受信するように動作可能なＲＦ受信機などの無線周波数（ＲＦ）受信機であるか、またはそれを含み得る。ＲＦ受信機は、第１のスペクトラムおよび第２のスペクトラムのための別々の受信機を含み得る。いくつかの場合には、別々の受信機は、第１のスペクトラムを介して通信するための認可スペクトラム受信機モジュール１７１２、および第２のスペクトラムを介して通信するための無認可スペクトラム受信機モジュール１７１４の形態をとる場合がある。認可スペクトラム受信機モジュール１７１２または無認可スペクトラム受信機モジュール１７１４を含む受信機モジュール１７１０は、図１、図２Ａまたは図２Ｂを参照して説明されるワイヤレス通信システム１００、２００または２５０の１つまたは複数の通信リンクなど、第１および第２のスペクトラムを含むワイヤレス通信システムの１つまたは複数の通信リンクを介して様々なタイプのデータまたは制御信号（すなわち、送信）を受信するために使用され得る。
【０１３９】
[0160]いくつかの例では、送信機モジュール１７３０は、第１のスペクトラムまたは第２のスペクトラム内で送信するように動作可能なＲＦ送信機など、ＲＦ送信機であるか、またはそれを含み得る。ＲＦ送信機は、第１のスペクトラムおよび第２のスペクトラムのための別々の送信機を含み得る。いくつかの場合には、別々の送信機は、第１のスペクトラムを介して通信するための認可スペクトラム送信機モジュール１７３２、および第２のスペクトラムを介して通信するための無認可スペクトラム送信機モジュール１７３４の形態をとる場合がある。認可スペクトラム送信機モジュール１７３２または無認可スペクトラム送信機モジュール１７３４を含む送信機モジュール１７３０は、第１のスペクトラムと第２のスペクトラムとを含むワイヤレス通信システムの１つまたは複数の通信リンクを介して、様々なタイプのデータまたは制御信号（すなわち、送信）を送信するために使用され得る。
【０１４０】
[0161]いくつかの例では、ワイヤレス通信管理モジュール１７２０は、図３、図６、図７または図１３を参照して説明されるワイヤレス通信管理モジュール３２０、６２０、７２０または１３２０の１つまたは複数の態様の一例であってよく、割り振られたインターレース受信モジュール１７３５、または基準信号生成モジュール１７４０を含み得る。これらの構成要素の各々は、互いに通信していることがある。
【０１４１】
[0162]いくつかの例では、割り振られたインターレース受信モジュール１７３５は、共有スペクトラム（たとえば、ＬＴＥ／ＬＴＥ−Ａ通信が送信され得る無認可スペクトラム）を介するアップリンク送信のための割り振られたインターレースの数を受信するために使用され得る。各インターレースは、共有スペクトラムの複数の非連続的ＲＢを含み得る。
【０１４２】
[0163]いくつかの例では、基準信号生成モジュール１７４０は、共有スペクトラム内の割り振られたインターレースに対するＲＢの順序付けに基づく基準信号シーケンスに従って、割り振られたインターレースの各ＲＢに対する基準信号（たとえば、ＤＭ−ＲＳ）を生成するために使用され得る。
【０１４３】
[0164]いくつかの場合には、たとえば、図１５を参照して説明されるように、割り振られたインターレースの各ＲＢに対して生成された基準信号が、そのＲＢにマッピングされた基準信号シンボルを含むように、基準信号生成モジュール１７４０は、周波数に従って基準信号シーケンスからの基準信号シンボルを、共有スペクトラム内の割り振られたインターレースのＲＢにマッピングすることによって、ＲＢに対する基準信号を生成し得る。
【０１４４】
[0165]他の場合には、共有スペクトラムは、少なくとも１つの割り振られないインターレースと関連付けられた複数のＲＢを含み、たとえば、図１６を参照して説明されるように、割り振られたインターレースの各ＲＢに対して生成された基準信号が、そのＲＢにマッピングされた基準信号シンボルを含むように、基準信号生成モジュール１７４０は、周波数に従って基準信号シーケンスからの基準信号シンボルを、割り振られたインターレースおよび少なくとも１つの割り振られないインターレースのＲＢにマッピングすることと、割り振られたインターレースのＲＢにマッピングされた基準信号シンボルのサブセットを決定するために基準信号シーケンスをパンクチャすることと、によってＲＢに対する基準信号を生成し得る。
【０１４５】
[0166]図１８は、本開示の様々な態様による、ワイヤレス通信の方法１８００の一例を示すフローチャートである。明快にするために、方法１８００は、図１、図２Ａもしくは図２Ｂを参照して説明されるＵＥ１１５もしくは２１５のうちの１つもしくは複数、または、図３もしくは図１７を参照して説明される装置３１５もしくは１７１５のうちの１つの態様を参照して以下で説明される。いくつかの例では、ＵＥ１１５もしくは２１５のうちの１つなどのＵＥ、または装置３１５もしくは１７１５のうちの１つなどの装置は、以下で説明される機能を実行するようにＵＥまたは装置の機能要素を制御するために、コードの１つまたは複数のセットを実行することができる。
【０１４６】
[0167]ブロック１８０５において、共有スペクトラム（たとえば、ＬＴＥ／ＬＴＥ−Ａ通信が送信され得る無認可スペクトラム）を介するアップリンク送信のための割り振られたインターレースの数が、ＵＥにおいて受信され得る。各割り振られたインターレースは、共有スペクトラムの複数の非連続的ＲＢを含み得る。ブロック１８０５における動作は、図３もしくは図１７を参照して説明されるワイヤレス通信管理モジュール３２０もしくは１７２０、または、図１７を参照して説明される割り振られたインターレース受信モジュール１７３５によって実行され得る。
【０１４７】
[0168]ブロック１８１０において、基準信号（たとえば、ＤＭ−ＲＳ）は、共有スペクトラム内の割り振られたインターレースに対するＲＢの順序付け(ordering)に基づく基準信号シーケンスに従って、割り振られたインターレースの各ＲＢに対して生成され得る。ブロック１８１０における動作は、図３もしくは図１７を参照して説明されるワイヤレス通信管理モジュール３２０もしくは１７２０、または、図１７を参照して説明される基準信号生成モジュール１７４０によって実行され得る。
【０１４８】
[0169]いくつかの例では、たとえば、図１５を参照して説明されるように、割り振られたインターレースの各ＲＢに対して生成された基準信号が、そのＲＢにマッピングされた基準信号シンボルを含むように、ＲＢに対する基準信号を生成することは、周波数に従って基準信号シーケンスからの基準信号シンボルを、共有スペクトラム内の割り振られたインターレースのＲＢにマッピングすることを含み得る。
【０１４９】
[0170]他の例では、共有スペクトラムは、少なくとも１つの割り振られないインターレースと関連付けられた複数のＲＢを含み、ＲＢに対する基準信号を生成することは、たとえば、図１６を参照して説明されるように、割り振られたインターレースの各ＲＢに対して生成された基準信号が、そのＲＢにマッピングされた基準信号シンボルを含むように、周波数に従って基準信号シーケンスからの基準信号シンボルを、割り振られたインターレースおよび少なくとも１つの割り振られないインターレースのＲＢにマッピングすることと、割り振られたインターレースのＲＢにマッピングされた基準信号シンボルのサブセットを決定するために基準信号シーケンスをパンクチャすることと、を含み得る。
【０１５０】
[0171]したがって、方法１８００は、ワイヤレス通信を提供し得る。方法１８００は一実装形態にすぎず、方法１８００の動作は、他の実装形態が可能であるように再構成され、または別の方法で修正され得ることに留意されたい。
【０１５１】
[0172]図１９は、本開示の様々な態様による、共有スペクトラムを介する複数のＤＭ−ＲＳ送信（たとえば、ＤＭ−ＲＳ送信１９２０、１９２５、など）に、サブフレーム１９０５内の複数のリソース要素位置（たとえば、リソース要素位置１９１０、１９１５、など）がどのようにマッピングされ得るかの一例１９００を示す。より具体的には、図１９は、サブフレーム１９０５の少なくとも１つのＦＤＭＡシンボルの間に、ＤＭ−ＲＳ送信のうちの少なくとも１つがどのように、少なくとも１つのデータ送信と多重化され得るかを示す。さらに具体的には、図１９は、２つのＤＭ−ＲＳ送信１９２０および１９２５が、どのようにして、１）リソース要素位置のうちの複数の（たとえば、２つの）連続的な位置を含むリソース要素グループ内に分配され得るか、および２）リソース要素位置１９３０および１９３５などのリソース要素位置内のデータ送信と多重化され得るかを示す。例として、リソース要素グループは、異なる周波数サブキャリアに属するリソース要素位置１９１０および１９１５を含む。他のＤＭ−ＲＳ送信は、他のリソース要素グループ内に分配され得る。代替として、ＤＭ−ＲＳ送信のうちの１つまたは複数（および、さらにはすべて）は、任意のリソース要素グループとは別に送信される場合がある。図示のように、ＤＭ−ＲＳ送信は、サブフレーム１９０５のＦＤＭＡシンボルの大部分（たとえば、ＦＤＭＡシンボルの２つ以外のすべて）にわたって分配され得る。
【０１５２】
[0173]いくつかの場合には、図１５を参照して説明されるように生成されたＤＭ−ＲＳは、図１９を参照して説明されるように複数のリソース要素位置にマッピングされ得る。他の場合には、図１６を参照して説明されるように生成されたＤＭ−ＲＳは、図１９を参照して説明されるように複数のリソース要素位置にマッピングされ得る。
【０１５３】
[0174]サブフレーム内の複数のリソース要素位置が図１９を参照して説明されるように複数のＤＭ−ＲＳ送信にマッピングされるとき、ＰＡＰＲは、ＤＭ−ＲＳシーケンスの選択の強力な機能にならない。加えて、図１９を参照して説明されるマッピングは、それがサブフレームのＦＤＭＡシンボルの大部分に及ぶときに、バースト性干渉を推定するためにより良好なマッピングであり得る。しかしながら、ＰＡＰＲは、ＤＭ−ＲＳ送信がデータ送信と多重化されないときより、わずかに（統計的に）高くなる場合がある（たとえば、プリコーディングされたシンボルがＤＭ−ＲＳ送信と混合されるため）。
【０１５４】
[0175]図２０は、本開示の様々な態様による、ワイヤレス通信において使用するための装置２０１５のブロック図２０００を示す。いくつかの例では、装置２０１５は、図１、図２Ａもしくは図２Ｂを参照して説明されるＵＥ１１５もしくは２１５、または図３、図６、図７、図１３もしくは図１７を参照して説明される装置３１５、６１５、７１５、１３１５もしくは１７１５のうちの１つの１つまたは複数の態様の一例であり得る。装置２０１５はまた、プロセッサであってよい。装置２０１５は、受信機モジュール２０１０、ワイヤレス通信管理モジュール２０２０、または送信機モジュール２０３０を含み得る。これらの構成要素の各々は、互いに通信していることがある。
【０１５５】
[0176]装置２０１５の構成要素は、個別にまたは集合的に、ハードウェア中の適用可能な機能の一部またはすべてを実行するように適応された１つまたは複数のＡＳＩＣを使用して実装され得る。代替的には、それらの機能は、１つまたは複数の他の処理ユニット（またはコア）によって、１つまたは複数の集積回路上で実行され得る。他の例では、当技術分野で知られている任意の方法でプログラムされ得る、他のタイプの集積回路（たとえば、ストラクチャード／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。
【０１５６】
[0177]いくつかの例では、受信機モジュール２０１０は、第１のスペクトラム（たとえば、ＬＴＥ／ＬＴＥ−Ａ認可スペクトラム）または第２のスペクトラム（たとえば、同じまたは異なる送信プロトコルのもとで動作する１つまたは複数の装置と共有されてよく、ＷｉＦｉスペクトラムを含んでよい、ＬＴＥ／ＬＴＥ−Ａ無認可スペクトラム）内の送信を受信するように動作可能なＲＦ受信機などの無線周波数（ＲＦ）受信機であるか、またはそれを含み得る。ＲＦ受信機は、第１のスペクトラムおよび第２のスペクトラムのための別々の受信機を含み得る。いくつかの場合には、別々の受信機は、第１のスペクトラムを介して通信するための認可スペクトラム受信機モジュール２０１２、および第２のスペクトラムを介して通信するための無認可スペクトラム受信機モジュール２０１４の形態をとる場合がある。認可スペクトラム受信機モジュール２０１２または無認可スペクトラム受信機モジュール２０１４を含む受信機モジュール２０１０は、図１、図２Ａまたは図２Ｂを参照して説明されるワイヤレス通信システム１００、２００、または２５０の１つまたは複数の通信リンクなど、第１および第２のスペクトラムを含むワイヤレス通信システムの１つまたは複数の通信リンクを介して様々なタイプのデータまたは制御信号（すなわち、送信）を受信するために使用され得る。
【０１５７】
[0178]いくつかの例では、送信機モジュール２０３０は、第１のスペクトラムまたは第２のスペクトラム内で送信するように動作可能なＲＦ送信機など、ＲＦ送信機であるか、またはそれを含み得る。ＲＦ送信機は、第１のスペクトラムおよび第２のスペクトラムのための別々の送信機を含み得る。いくつかの場合には、別々の送信機は、第１のスペクトラムを介して通信するための認可スペクトラム送信機モジュール２０３２、および第２のスペクトラムを介して通信するための無認可スペクトラム送信機モジュール２０３４の形態をとる場合がある。認可スペクトラム送信機モジュール２０３２または無認可スペクトラム送信機モジュール２０３４を含む送信機モジュール２０３０は、第１のスペクトラムと第２のスペクトラムとを含むワイヤレス通信システムの１つまたは複数の通信リンクを介して、様々なタイプのデータまたは制御信号（すなわち、送信）を送信するために使用され得る。
【０１５８】
[0179]いくつかの例では、ワイヤレス通信管理モジュール２０２０は、図３、図６、図７、図１３または図２０を参照して説明されるワイヤレス通信管理モジュール３２０、６２０、７２０、１３２０または２０２０の１つまたは複数の態様の一例であってよく、リソース要素マッピングモジュール２０３５を含み得る。
【０１５９】
[0180]いくつかの例では、たとえば、図１９を参照して説明されるように、リソース要素マッピングモジュール２０３５は、第２のスペクトラムを介してサブフレーム（たとえば、アップリンクサブフレーム）内の複数のリソース要素位置を複数のＤＭ−ＲＳ送信にマッピングするために使用され得、ここで、ＤＭ−ＲＳ送信のうちの少なくとも１つが、サブフレームの少なくとも１つのＦＤＭＡシンボル（たとえば、ＳＣ−ＦＤＭＡシンボル）の間に少なくとも１つのデータ送信と多重化され得る。
【０１６０】
[0181]いくつかの場合には、リソース要素マッピングモジュール２０３５は、サブフレームの複数のＦＤＭＡシンボル（たとえば、ＦＤＭＡシンボルの２つ以外のすべて）にわたって複数のＤＭ−ＲＳ送信を分配し得る。
【０１６１】
[0182]いくつかの場合には、リソース要素マッピングモジュール２０３５は、複数のリソース要素グループ内の複数のＤＭ−ＲＳ送信を分配し得、各リソース要素グループは、リソース要素位置のうちの複数の連続的な位置（たとえば、時間領域または周波数領域における複数の連続的リソース要素）を含む。
【０１６２】
[0183]いくつかの場合には、リソース要素マッピングモジュール２０３５は、少なくとも１つのＤＭ−ＲＳ送信をサブフレームの複数の周波数サブキャリアの各々にマッピングし得る。
【０１６３】
[0184]無認可スペクトラム送信機モジュール２０３４は、サブフレーム内のマッピングされたリソース要素位置に従って第２のスペクトラムを介してＤＭ−ＲＳ送信を送信するために使用され得る。
【０１６４】
[0185]図２１は、本開示の様々な態様による、ワイヤレス通信の方法２１００の一例を示すフローチャートである。明快にするために、方法２１００は、図１、図２Ａもしくは図２Ｂを参照して説明されるＵＥ１１５もしくは２１５のうちの１つもしくは複数、または、図３もしくは図２０を参照して説明される装置３１５もしくは２０１５のうちの１つ、の態様を参照して以下で説明される。いくつかの例では、ＵＥ１１５もしくは２１５のうちの１つなどのＵＥ、または装置３１５もしくは２０１５のうちの１つなどの装置は、以下で説明される機能を実行するようにＵＥまたは装置の機能要素を制御するために、コードの１つまたは複数のセットを実行することができる。
【０１６５】
[0186]ブロック２１０５において、たとえば、図１９を参照して説明されるように、サブフレーム（たとえば、アップリンクサブフレーム）内の複数のリソース要素位置は、共有スペクトラム（たとえば、ＬＴＥ／ＬＴＥ−Ａ通信が送信され得る無認可スペクトラム）を介して複数のＤＭ−ＲＳ送信にマッピングされ得、ここで、ＤＭ−ＲＳ送信のうちの少なくとも１つが、サブフレームの少なくとも１つのＦＤＭＡシンボル（たとえば、ＳＣ−ＦＤＭＡシンボル）の間に少なくとも１つのデータ送信と多重化され得る。ブロック２１０５における動作は、図３もしくは図２０を参照して説明されるワイヤレス通信管理モジュール３２０もしくは２０２０、または、図２０を参照して説明されるリソース要素マッピングモジュール２０３５によって実行され得る。
【０１６６】
[0187]いくつかの場合には、複数のＤＭ−ＲＳ送信は、サブフレームの複数のＦＤＭＡシンボル（たとえば、ＦＤＭＡシンボルの２つ以外のすべて）にわたって分配され得る。
【０１６７】
[0188]いくつかの場合には、複数のＤＭ−ＲＳ送信は、複数のリソース要素グループ内に分配され得、各リソース要素グループは、リソース要素位置のうちの複数の連続的な位置（たとえば、時間領域または周波数領域における複数の連続的リソース要素）を含む。
【０１６８】
[0189]いくつかの場合には、少なくとも１つのＤＭ−ＲＳ送信は、サブフレームの複数の周波数サブキャリアの各々にマッピングされ得る。
【０１６９】
[0190]ブロック２１１０において、ＤＭ−ＲＳ送信は、サブフレーム内のマッピングされたリソース要素位置に従って無認可スペクトラムを介して送信され得る。ブロック２１１０における動作は、図３もしくは図２０を参照して説明される送信機モジュール３３０もしくは２０３０、または、図２０を参照して説明される無認可スペクトラム送信機モジュール２０３４によって実行され得る。
【０１７０】
[0191]したがって、方法２１００は、ワイヤレス通信を提供し得る。方法２１００は一実装形態にすぎず、方法２１００の動作は、他の実装形態が可能であるように再構成され、または別の方法で修正され得ることに留意されたい。
【０１７１】
[0192]いくつかの例では、方法８００、９００、１０００、１１００、１４００、１８００、または２１００の１つまたは複数の態様が、組み合わされ得る。
【０１７２】
[0193]添付の図面に関して上記に記載された詳細な説明は、例について説明しており、実装され得るまたは特許請求の範囲内に入る例のみを表すものではない。「例」および「例示的」という語は、この説明で使用されるとき、「一例、実例、または例示としての役割を果たす」ことを意味し、「好ましい」または「他の例より有利である」ことを意味しない。発明を実施するための形態は、説明される技法の理解をもたらすための具体的な詳細を含む。しかしながら、これらの技法は、これらの特定の詳細を伴わずに実践され得る。いくつかの事例では、説明される例の概念を不明瞭にすることを避けるために、よく知られている構造および装置がブロック図の形態で示されている。
【０１７３】
[0194]情報および信号は、種々の異なる技術および技法のいずれかを使用して表され得る。たとえば、上記の説明全体にわたって言及され得るデータ、命令、コマンド、情報、信号、ビット、シンボル、およびチップは、電圧、電流、電磁波、磁場もしくは磁性粒子、光場もしくは光学粒子、またはそれらの任意の組合せによって表され得る。
【０１７４】
[0195]本明細書の開示に関連して説明される様々な例示的なブロックおよびモジュールは、汎用プロセッサ、デジタル信号プロセッサ（ＤＳＰ）、ＡＳＩＣ、ＦＰＧＡまたは他のプログラマブル論理デバイス、個別ゲートもしくはトランジスタロジック、個別ハードウェアコンポーネント、もしくは本明細書で説明される機能を実行するように設計されたそれらの任意の組合せによって実装または実行され得る。汎用プロセッサはマイクロプロセッサであり得るが、代替として、プロセッサは任意の従来のプロセッサ、コントローラ、マイクロコントローラ、または状態機械であり得る。プロセッサは、コンピューティングデバイスの組合せ、たとえば、ＤＳＰとマイクロプロセッサとの組合せ、複数のマイクロプロセッサ、ＤＳＰコアと連携する１つもしくは複数のマイクロプロセッサ、または任意の他のそのような構成としても実装され得る。
【０１７５】
[0196]本明細書において説明される機能は、ハードウェア、プロセッサによって実行されるソフトウェア、ファームウェア、またはそれらの任意の組合せで実装され得る。プロセッサによって実行されるソフトウェアで実装される場合、機能はコンピュータ可読媒体上に記憶されるか、またはコンピュータ可読媒体を介して１つまたは複数の命令もしくはコードとして送信され得る。他の例および実装形態は、本開示および添付の特許請求の範囲の範囲および趣旨内にある。たとえば、ソフトウェアの性質により、上記で説明された機能は、プロセッサ、ハードウェア、ファームウェア、配線、またはこれらのうちのいずれかの組合せによって実行されるソフトウェアを用いて実現され得る。機能を実装する特徴はまた、機能の一部が異なる物理的場所において実装されるように分散されることを含めて、様々な位置に物理的に配置され得る。また、特許請求の範囲を含む、本明細書において使用されるとき、「のうちの少なくとも１つ」で終わる項目の列挙中に使用されるような「または」は選言的列挙を示しており、たとえば、「Ａ、Ｂ、またはＣのうちの少なくとも１つ」の列挙は、ＡまたはＢまたはＣまたはＡＢまたはＡＣまたはＢＣまたはＡＢＣ（すなわち、ＡおよびＢおよびＣ）を意味する。
【０１７６】
[0197]コンピュータ可読媒体は、コンピュータ記憶媒体と、ある位置から別の位置へのコンピュータプログラムの転送を促進する任意の媒体を含む通信媒体の両方を含む。記憶媒体は、汎用コンピュータまたは専用コンピュータによってアクセスされ得る任意の利用可能な媒体の場合がある。限定ではなく例として、コンピュータ可読記憶媒体は、ＲＡＭ、ＲＯＭ、ＥＥＰＲＯＭ（登録商標）、ＣＤ−ＲＯＭ、または他の光ディスクストレージ、磁気ディスクストレージまたは他の磁気記憶デバイス、あるいは命令またはデータ構造の形態の所望のプログラムコード手段を搬送または格納するために使用され得、汎用もしくは専用コンピュータ、または汎用もしくは専用プロセッサによってアクセスされ得る任意の他の媒体を備え得る。また、任意の接続がコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびブルーレイ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれる。
【０１７７】
[0198]本開示の前述の説明は、当業者が本開示を作製または使用することを可能にするために与えられる。本開示に対する様々な修正が当業者には容易に明らかとなり、本明細書において規定された一般原理は、本開示の趣旨または範囲から逸脱することなく他の変形形態に適用され得る。本開示全体にわたって、「例」または「例示的」という用語は、一例または一事例を示すものであり、言及された例についての選好を暗示せず、または要求しない。したがって、本開示は、本明細書において説明される例および設計に限定されるべきでなく、本明細書において開示される原理および新規の特徴に合致する最も広い範囲を与えられるべきである。
以下に本願の出願当初の特許請求の範囲に記載された発明を付記する。
[Ｃ１]  ワイヤレス通信の方法であって、
共有スペクトラム上でアップリンク送信に対するいくつかの割り振られたインターレースをユーザ機器（ＵＥ）において受信することと、ここにおいて、各割り振られたインターレースは、前記共有スペクトラムの複数の非連続的リソースブロックを備え、
前記共有スペクトラム内の前記割り振られたインターレースに対する前記リソースブロックの順序付けに基づく基準信号シーケンスに従って、前記割り振られたインターレースの前記リソースブロックに対する基準信号を生成することと、
を備える方法。
[Ｃ２]  前記基準信号を生成することは、
前記基準信号シーケンスからの基準信号シンボルを、周波数に従って前記共有スペクトラム内の前記割り振られたインターレースの前記リソースブロックにマッピングすることを備え、
別々の基準信号が、前記割り振られたインターレースの前記リソースブロックの各々に対して、そのリソースブロックにマッピングされた前記基準信号シンボルに基づいて生成される、Ｃ１に記載の方法。
[Ｃ３]  前記共有スペクトラムは、少なくとも１つの割り振られないインターレースと関連付けられた複数のリソースブロックを備え、前記基準信号を生成することは、
周波数に従って、前記基準信号シーケンスからの基準信号シンボルを、前記割り振られたインターレースおよび前記少なくとも１つの割り振られないインターレースの前記リソースブロックにマッピングすることと、
前記割り振られたインターレースの前記リソースブロックにマッピングされる基準信号シンボルのサブセットを決定するために前記基準信号シーケンスをパンクチャすることと、
を備え、前記割り振られたインターレースの前記リソースブロックの各々に対して、そのリソースブロックにマッピングされた前記基準信号シンボルに基づいて、別々の基準信号が生成される、Ｃ１に記載の方法。
[Ｃ４]  前記基準信号を生成することは、
いくつかのコンピュータ生成シーケンスを生成することと、
前記コンピュータ生成シーケンスのうちの１つを、前記共有スペクトラム内の前記割り振られたインターレースの前記リソースブロックのうちの１つにマッピングすることと、
を備える、Ｃ１に記載の方法。
[Ｃ５]  前記コンピュータ生成シーケンスの長さは、前記リソースブロックに対するいくつかの周波数サブキャリアに少なくとも部分的に基づく、Ｃ４に記載の方法。
[Ｃ６]  コンピュータ生成シーケンスの数は、割り振られたインターレースの数に少なくとも部分的に基づく、Ｃ４に記載の方法。
[Ｃ７]  ランダムサイクリックシフトに少なくとも部分的に基づいて前記コンピュータ生成シーケンスのうちの少なくとも１つをシフトすることをさらに備える、Ｃ４に記載の方法。
[Ｃ８]  前記コンピュータ生成シーケンスのうちの１つを、前記リソースブロックのうちの１つにマッピングすることは、
外部シーケンスを生成することと、
いくつかの組み合わされたシーケンスを決定することと、ここにおいて、前記組み合わされたシーケンスは、前記コンピュータ生成シーケンスおよび前記外部シーケンスのうちの少なくとも１つに少なくとも部分的に基づき、
前記組み合わされたシーケンスのうちの１つを、前記共有スペクトラム内の前記割り振られたインターレースの前記リソースブロックのうちの１つにマッピングすることと、
を備える、Ｃ４に記載の方法。
[Ｃ９]  前記共有スペクトラム上で前記アップリンク送信を送信することをさらに備え、前記アップリンク送信は前記割り振られたインターレースのうちの少なくとも１つを備える、Ｃ１に記載の方法。
[Ｃ１０]  ワイヤレス通信のための装置であって、
共有スペクトラム上でアップリンク送信に対するいくつかの割り振られたインターレースをユーザ機器（ＵＥ）において受信するための手段と、ここにおいて、各割り振られたインターレースは、前記共有スペクトラムの複数の非連続的リソースブロックを備え、
前記共有スペクトラム内の前記割り振られたインターレースに対する前記リソースブロックの順序付けに基づく基準信号シーケンスに従って、前記割り振られたインターレースの前記リソースブロックに対する基準信号を生成するための手段と、
を備える装置。
[Ｃ１１]  前記基準信号シーケンスからの基準信号シンボルを、周波数に従って前記共有スペクトラム内の前記割り振られたインターレースの前記リソースブロックにマッピングするための手段をさらに備え、
別々の基準信号が、前記割り振られたインターレースの前記リソースブロックの各々に対して、そのリソースブロックにマッピングされた前記基準信号シンボルに基づいて生成される、Ｃ１０に記載の装置。
[Ｃ１２]  前記共有スペクトラムは、少なくとも１つの割り振られないインターレースと関連付けられた複数のリソースブロックを備え、前記装置は、
周波数に従って、前記基準信号シーケンスからの基準信号シンボルを、前記割り振られたインターレースおよび前記少なくとも１つの割り振られないインターレースの前記リソースブロックにマッピングするための手段と、
前記割り振られたインターレースの前記リソースブロックにマッピングされる基準信号シンボルのサブセットを決定するために前記基準信号シーケンスをパンクチャするための手段と、
をさらに備え、
前記割り振られたインターレースの前記リソースブロックの各々に対して、そのリソースブロックにマッピングされた前記基準信号シンボルに基づいて、別々の基準信号が生成される、Ｃ１０に記載の装置。
[Ｃ１３]  前記基準信号は、
いくつかのコンピュータ生成シーケンスを生成することと、
前記コンピュータ生成シーケンスのうちの１つを、前記共有スペクトラム内の前記割り振られたインターレースの前記リソースブロックのうちの１つにマッピングすることと、
によって生成される、Ｃ１０に記載の装置。
[Ｃ１４]  前記コンピュータ生成シーケンスの長さは、前記リソースブロックに対するいくつかの周波数サブキャリアに少なくとも部分的に基づく、Ｃ１３に記載の装置。
[Ｃ１５]  コンピュータ生成シーケンスの数は、割り振られたインターレースの数に少なくとも部分的に基づく、Ｃ１３に記載の装置。
[Ｃ１６]  ランダムサイクリックシフトに少なくとも部分的に基づいて前記コンピュータ生成シーケンスのうちの少なくとも１つをシフトするための手段をさらに備える、Ｃ１３に記載の装置。
[Ｃ１７]  前記コンピュータ生成シーケンスのうちの前記１つは、前記リソースブロックのうちの前記１つに、
外部シーケンスを生成することと、
いくつかの組み合わされたシーケンスの数を決定することと、ここにおいて、前記組み合わされたシーケンスは、前記コンピュータ生成シーケンスおよび前記外部シーケンスのうちの少なくとも１つに少なくとも部分的に基づき、
前記組み合わされたシーケンスのうちの１つを、前記共有スペクトラム内の前記割り振られたインターレースの前記リソースブロックのうちの１つにマッピングすることと、
によってマッピングされる、Ｃ１３に記載の装置。
[Ｃ１８]  前記共有スペクトラム上で前記アップリンク送信を送信するための手段をさらに備え、前記アップリンク送信は前記割り振られたインターレースのうちの少なくとも１つを備える、Ｃ１０に記載の装置。
[Ｃ１９]  プロセッサによって実行可能な命令を記憶するための非一時的コンピュータ可読媒体であって、
共有スペクトラム上でアップリンク送信に対するいくつかの割り振られたインターレースをユーザ機器（ＵＥ）において受信するための命令と、ここにおいて、各割り振られたインターレースは、前記共有スペクトラムの複数の非連続的リソースブロックを備え、
前記共有スペクトラム内の前記割り振られたインターレースに対する前記リソースブロックの順序付けに基づく基準信号シーケンスに従って、前記割り振られたインターレースの前記リソースブロックに対する基準信号を生成するための命令と、
を備える、非一時的コンピュータ可読媒体。
[Ｃ２０]  前記基準信号を生成するための前記命令は、
前記基準信号シーケンスからの基準信号シンボルを、周波数に従って前記共有スペクトラム内の前記割り振られたインターレースの前記リソースブロックにマッピングするための命令を備え、
別々の基準信号が、前記割り振られたインターレースの前記リソースブロックの各々に対して、そのリソースブロックにマッピングされた前記基準信号シンボルに基づいて生成される、Ｃ１９に記載のコンピュータプログラム製品。
[Ｃ２１]  前記共有スペクトラムは、少なくとも１つの割り振られないインターレースと関連付けられた複数のリソースブロックを備え、前記基準信号を生成するための前記命令は、
周波数に従って、前記基準信号シーケンスからの基準信号シンボルを、前記割り振られたインターレースおよび前記少なくとも１つの割り振られないインターレースの前記リソースブロックにマッピングすることと、
前記割り振られたインターレースの前記リソースブロックにマッピングされる基準信号シンボルのサブセットを決定するために前記基準信号シーケンスをパンクチャすることと、
を行うための命令を備え、
前記割り振られたインターレースの前記リソースブロックの各々に対して、そのリソースブロックにマッピングされた前記基準信号シンボルに基づいて、別々の基準信号が生成される、Ｃ１９に記載のコンピュータプログラム製品。
[Ｃ２２]  前記基準信号を生成するための前記命令は、
いくつかのコンピュータ生成シーケンスを生成することと、
前記コンピュータ生成シーケンスのうちの１つを、前記共有スペクトラム内の前記割り振られたインターレースの前記リソースブロックのうちの１つにマッピングすることと、
を行うための命令を備える、Ｃ１９に記載のコンピュータプログラム製品。
[Ｃ２３]  前記コンピュータ生成シーケンスの長さは、前記リソースブロックに対するいくつかの周波数サブキャリアに少なくとも部分的に基づく、Ｃ２２に記載のコンピュータプログラム製品。
[Ｃ２４]  コンピュータ生成シーケンスの数は、割り振られたインターレースの数に少なくとも部分的に基づく、Ｃ２２に記載のコンピュータプログラム製品。
[Ｃ２５]  前記共有スペクトラム上で前記アップリンク送信を送信するための命令をさらに備え、前記アップリンク送信は前記割り振られたインターレースのうちの少なくとも１つを備える、Ｃ１９に記載のコンピュータプログラム製品。
[Ｃ２６]  ワイヤレス通信の方法であって、
共有スペクトラム上でアップリンク送信に対するいくつかの割り振られたインターレースをユーザ機器（ＵＥ）において受信することと、ここにおいて、各割り振られたインターレースは、前記共有スペクトラムの複数の非連続的リソースブロックを備え、割り振られたインターレースの数は、前記ＵＥのジョイントインターレースプリコーディングハードウェアによってサポートされない、
前記割り振られたインターレースを、少なくとも２つのインターレースのサブセットに区分することと、ここにおいて、インターレースの各サブセットのサイズは、前記ＵＥの前記ジョイントインターレースプリコーディングハードウェアによってサポートされ、
前記ＵＥにおいて、インターレースの各サブセットで別々にジョイントインターレースプリコーディングを実行することと、
を備える方法。
[Ｃ２７]  前記ＵＥに対して前記選択されるサイズの組合せに関連する電力メトリックに基づいて、インターレースの各サブセットの前記サイズ選択することをさらに備える、Ｃ２６に記載の方法。
[Ｃ２８]  インターレースの前記サブセットを前記共有スペクトラム上で基地局に送信することをさらに備える、Ｃ２６に記載の方法。
[Ｃ２９]  割り振られたリソースの数は７を備える、Ｃ２６に記載の方法。
[Ｃ３０]  インターレースの前記少なくとも２つのサブセットは、１つのインターレースの第１のセットと６つのインターレースの第２のセットとを備える、Ｃ２６に記載の方法。
【図１】
0006538054.tif 000002
【図２Ａ】
0006538054.tif 000003
【図２Ｂ】
0006538054.tif 000004
【図３】
0006538054.tif 000005
【図４】
0006538054.tif 000006
【図５】
0006538054.tif 000007
【図６】
0006538054.tif 000008
【図７】
0006538054.tif 000009
【図８】
0006538054.tif 000010
【図９】
0006538054.tif 000011
【図１０】
0006538054.tif 000012
【図１１】
0006538054.tif 000013
【図１２】
0006538054.tif 000014
【図１３】
0006538054.tif 000015
【図１４】
0006538054.tif 000016
【図１５】
0006538054.tif 000017
【図１６】
0006538054.tif 000018
【図１７】
0006538054.tif 000019
【図１８】
0006538054.tif 000020
【図１９】
0006538054.tif 000021
【図２０】
0006538054.tif 000022
【図２１】
0006538054.tif 000023